(57)【要約】      （修正有）【課題】太陽電池モジュールの屋根下地上への設置が容易であり、防水性及び排水性を有するとともに設置コストが安い太陽電池モジュールの設置構造を提供する。【解決手段】太陽電池モジュール５の短辺の縁部１１ａ及び長辺の縁部が縦フレーム部の支持部及び横フレーム部の支持部に固定されて形成された太陽電池モジュール体５Ａの縦フレーム部の基幹部１２が、屋根下地上の軒棟方向に平行に設置された架台４のレール部７２に挿入されて支持されている。そして、下段の太陽電池モジュール体５Ａの上辺フレーム部３ａのリブを、上段の太陽電池モジュール体５Ａの下辺フレーム部の挟持部に嵌合させながら、屋根下地上に設置された補助桟木１０４にＰＶモジュール体５Ａがネジ等で固定される。【選択図】図９−１
2014221989.tif 000002
【特許請求の範囲】
【請求項１】
太陽電池モジュールと縦フレーム部と二種類の横フレーム部と架台とからなり屋根下地上に太陽電池モジュールを設置するための設置構造であって、前記縦フレーム部は細長い基幹部と該基幹部の上方に設けられた支持部からなり、前記横フレーム部の上辺フレーム部及び下辺フレーム部は細長い基幹部と該基幹部の上方に設けられた支持部からなるとともに前記上辺フレーム部と前記下辺フレーム部のいずれか一方にはリブが他方には挟持部が設けられ、前記架台は長さの長い土台部と該土台部の中央に立設され全長に亘って設けられたフレーム支持部からなり、前記太陽電池モジュールの短辺及び長辺の縁部が前記縦フレーム部の前記支持部及び前記横フレーム部の前記支持部に支持されるとともに固定されて太陽電池モジュール体が形成され、前記屋根下地上の軒棟方向に複数本の前記架台が互いに平行に設置され、前記太陽電池モジュール体の二つの前記縦フレーム部の前記基幹部が前記架台の前記フレーム支持部に形成されたレール部にそれぞれ支持されて複数本の前記架台の間に複数の前記太陽電池モジュール体が設置され、下段に位置する前記太陽電池モジュール体の前記上辺フレーム部に設けられた前記リブまたは前記挟持部と上段に位置する前記太陽電池モジュール体の前記下辺フレーム部に設けられた前記挟持部または前記リブとが嵌合しているとともに、前記太陽電池モジュール体が前記屋根下地上に固定されていることを特徴とする太陽電池モジュールの設置構造。
【請求項２】
前記架台に設置された前記太陽電池モジュール体と前記屋根下地との間に雨水等が浸入するのを防止するための屋根材等によって前記架台の周囲が覆われ、全体が防水性を有することを特徴とする請求項１記載の太陽電池モジュールの設置構造。
【請求項３】
前記架台の前記土台部の幅方向の両端付近に仕切り部が設けられ、前記架台の全長に亘って排水部が形成されていることを特徴とする請求項１または請求項２記載の太陽電池モジュールの設置構造。
【請求項４】
前記上辺フレーム部の前記基幹部または前記下辺フレーム部の前記基幹部に雨樋部が設けられていることを特徴とする請求項１ないし請求項３記載の太陽電池モジュールの設置構造。
【請求項５】
前記架台の起立部の表面とこれに対峙する前記縦フレーム部の前記基幹部の側壁部のいずれか一方または両方に突起部が設けられていることを特徴とする請求項１ないし請求項４記載の太陽電池モジュールの設置構造。
【請求項６】
前記縦フレーム部の底面及び前記架台の下方フランジ部の上面に係止片が設けられていることを特徴とする請求項１ないし請求項５記載の太陽電池モジュールの設置構造。
【請求項７】
前記横フレーム部の前記リブの先端部が断面略半円状または断面略三角形状であることを特徴とする前記請求項１ないし請求項６記載の太陽電池モジュールの設置構造。
【請求項８】
前記縦フレーム部の前記基幹部の天井部に、前記架台の前記フレーム支持部の上方フランジ部と嵌合する切欠き部が形成されていることを特徴とする請求項１ないし請求項７記載の太陽電池モジュールの設置構造。
【請求項９】
前記架台の底板部の裏面が波状面であることを特徴とする請求項１ないし請求項８記載の太陽電池モジュールの設置構造。
【請求項１０】
前記上辺フレーム部の上面または前記下辺フレーム部の上面に雪止め部が設けられていることを特徴とする請求項１ないし請求項９記載の太陽電池モジュールの設置構造。
【発明の詳細な説明】
【技術分野】
【０００１】
本発明は、太陽電池モジュールの設置構造、詳しくは屋根下地上への太陽電池モジュールの設置が容易である太陽電池モジュールの設置構造に関する。
【背景技術】
【０００２】
近年、地球環境に配慮したクリーンエネルギーである太陽光を利用して発電を行い、二酸化炭素（ＣＯ2)の排出量を減らそうとするエコの意識が世の中では高まってきている。そのため、自宅の屋根に太陽光で発電する太陽電池モジュールを設置し、調理、給湯、空調などのシステムをすべて電気でまかなう家庭も年々増加している。
【０００３】
住宅の屋根に太陽電池モジュールを設置する方法としては、屋根材の上に固定された架台等の取付金具によって太陽電池モジュールを支持しながら設置するいわゆる屋根置き型の設置方法や、屋根材であるベース材上に太陽電池モジュールが固定部材を介して固定された太陽電池モジュール一体型屋根材を用いて屋根を葺きながら設置する方法等が知られている。
【先行技術文献】
【特許文献】
【０００４】
【特許文献１】特開２００６−３２８８８７号公報
【特許文献２】特開２００７−２２４５３８号公報
【特許文献３】特開２００７−２３１５３９号公報
【０００５】
しかし、屋根材の上に固定された架台等の取付金具によって太陽電池モジュールを支持しながら設置する従来の方法は、まず屋根材の上に多くの架台等の取付金具をネジ等により固定しなければならないため、太陽電池モジュールの取付作業に多くの時間を必要とする。また、上記方法は屋根材にネジ孔を開けるため、そのネジ孔から雨水が浸入する可能性があり、雨漏りや野地板の腐食の原因となっている。また、架台等の取付金具や太陽電池モジュールの重さによって屋根材を傷め易いという欠点があるとともに、取付金具の部品数が多いためコストが高くなるという欠点もある。
【０００６】
一方、太陽電池モジュールが固定された太陽電池モジュール一体型屋根材を用いて屋根を葺きながら設置する従来の方法は、まずベース材上に固定部材を介して太陽電池モジュールを取付けて太陽電池モジュール一体型屋根材を作成する必要があり、太陽電池モジュール一体型屋根材を設置する前段階の作業が煩雑であるとともに多くの時間を要する。
【０００７】
また、太陽電池モジュール一体型屋根材は、屋根材に孔を開けてその孔に太陽電池モジュールから伸びるケーブルを通し、屋根材の裏面側で他の屋根材の太陽電池モジュールと電気的に接続する構造であるため、屋根材に開けた孔から雨水が浸入する可能性があり、雨漏りや野地板の腐食の原因となっている。
【０００８】
更に、屋根材の平均寿命が太陽電池の平均寿命よりもかなり短いため、太陽電池モジュール一体型屋根材の場合は屋根材の交換時期が先に来るが、屋根材だけでなく太陽電池モジュール一体型屋根材全体を交換しなければならず、費用が割高になってしまうという欠点もある。
【発明の概要】
【発明が解決しようとする課題】
【０００９】
そこで本発明は、上記のような従来の欠点を解消するものであり、屋根下地上への太陽電池モジュールの設置が容易であり、屋根材と同様の防水性及び排水性を有するとともに軽量でコストが安く意匠性の高い太陽電池モジュールの設置構造を提供することを目的とする。
【課題を解決するための手段】
【００１０】
上記の目的を達成するため、本発明の請求項１に係る発明は、太陽電池モジュールと縦フレーム部と二種類の横フレーム部と架台とからなり屋根下地上に太陽電池モジュールを設置するための設置構造であって、前記縦フレーム部は細長い基幹部と該基幹部の上方に設けられた支持部からなり、前記横フレーム部の上辺フレーム部及び下辺フレーム部は細長い基幹部と該基幹部の上方に設けられた支持部からなるとともに前記上辺フレーム部と前記下辺フレーム部のいずれか一方にはリブが他方には挟持部が設けられ、前記架台は長さの長い土台部と該土台部の中央に立設され全長に亘って設けられたフレーム支持部からなり、前記太陽電池モジュールの短辺及び長辺の縁部が前記縦フレーム部の前記支持部及び前記横フレーム部の前記支持部に支持されるとともに固定されて太陽電池モジュール体が形成され、前記屋根下地上の軒棟方向に複数本の前記架台が互いに平行に設置され、前記太陽電池モジュール体の二つの前記縦フレーム部の前記基幹部が前記架台の前記フレーム支持部に形成されたレール部にそれぞれ支持されて複数本の前記架台の間に複数の前記太陽電池モジュール体が設置され、下段に位置する前記太陽電池モジュール体の前記上辺フレーム部に設けられた前記リブまたは前記挟持部と上段に位置する前記太陽電池モジュール体の前記下辺フレーム部に設けられた前記挟持部または前記リブとが嵌合しているとともに、前記太陽電池モジュール体が前記屋根下地上に固定されていることを特徴とする。
【００１１】
また、本願の請求項２に係る発明は、前記架台に設置された前記太陽電池モジュール体と前記屋根下地との間に雨水等が浸入するのを防止するための屋根材等によって前記架台の周囲が覆われ、全体が防水性を有することを特徴とする。また、請求項３に係る発明は、前記架台の前記土台部の幅方向の両端付近に仕切り部が設けられ、前記架台の全長に亘って排水部が形成されていることを特徴とする。また、請求項４に係る発明は、前記上辺フレーム部の前記基幹部または前記下辺フレーム部の前記基幹部に雨樋部が設けられていることを特徴とする。
【００１２】
また、請求項５に係る発明は、前記架台の起立部の表面とこれに対峙する前記縦フレーム部の前記基幹部の側壁部のいずれか一方または両方に突起部が設けられていることを特徴とする。また、請求項６に係る発明は、前記縦フレーム部の底面及び前記架台の下方フランジ部の上面に係止片が設けられていることを特徴とする。また、請求項７に係る発明は、前記横フレーム部の前記リブの先端部が断面略半円形状または断面略三角形状であることを特徴とする。また、請求項８に係る発明は、前記縦フレーム部の前記基幹部の天井部に、前記架台の前記フレーム支持部の上方フランジ部と嵌合する切欠き部が形成されていることを特徴とする。また、請求項９に係る発明は、前記架台の底板部の裏面が波状面であることを特徴とする。
【００１３】
また、請求項１０に係る発明は、前記上辺フレーム部の上面または前記下辺フレーム部の上面に雪止め部が設けられていることを特徴とする。
【発明の効果】
【００１４】
上記より、請求項１に係る発明によれば、屋根下地上に太陽電池モジュールを容易に設置することができるとともに、それにより作業者の屋根上での作業時間を短縮できるため、作業者の安全性を確保することができる。また、意匠性の高い太陽電池モジュールの設置構造を提供することができる。
【００１５】
また、請求項２ないし請求項４に係る発明によれば、太陽電池モジュールの設置構造全体が防水性及び排水性を有するため屋根下地上に屋根材を葺く必要がなくなり、新築住宅等への太陽電池モジュールの設置コストを削減することができるとともに、屋根下地上への重量の負担を軽減することができる。また、屋根下地上に屋根材を葺く必要がないため、作業者の屋根上での作業時間を短縮でき、作業者の安全性を確保することができる。
【００１６】
また、請求項５ないし請求項９に係る発明によれば、太陽電池モジュールの設置作業が更に容易になり、作業時間を更に短縮できるとともに、架台からの太陽電池モジュールの脱落を防ぎ、安全に設置作業を行うことができる。
【００１７】
また、請求項１０に係る発明によれば、太陽電池モジュールの上に積もった雪が一気に滑り落ちずに雪止め部で堰き止められるため、不意な落雪による事故を防止することができるとともに、太陽電池モジュールの設置構造内への雪解け水の浸入を防止することができる。
【図面の簡単な説明】
【００１８】
【図１】太陽電池モジュールの設置構造に使用する太陽電池モジュール体の斜視図である。
【図２】図１のＡ−Ａ断面斜視図である。
【図３】縦フレーム部の斜視図である。
【図４】横フレーム部の上辺フレーム部の斜視図である。
【図５】横フレーム部の下辺フレーム部の斜視図である。
【図６】縦フレーム部と上辺フレーム部の連結状態を示す拡大斜視図である。
【図７】縦フレーム部と下辺フレーム部の連結状態を示す拡大斜視図である。
【図８】架台の斜視図である。
【図９−１】太陽電池モジュールの設置構造を軒側から見た断面図である。
【図９−２】太陽電池モジュールの設置構造を棟側から見た断面図である。
【図１０】上辺フレーム部と下辺フレーム部の連結状態を示す断面図である。
【図１１】太陽電池モジュールの設置構造の軒先部付近の構造を示す断面図である。
【図１２】太陽電池モジュールの設置構造の棟部付近の構造を示す断面図である。
【発明を実施するための形態】
【００１９】
以下、本発明を図１から図１２に従って説明する。尚、以下では本発明に係る実施態様を詳細に説明するが、本発明はこれに限定されるものではない。本発明に係る太陽電池モジュールの設置構造（以下「設置構造」という。）１は、屋根１００の屋根下地１０１上に縦フレーム部２、横フレーム部３及び架台４を介して太陽電池モジュール（以下「ＰＶモジュール」という。）５を設置する構造である。
【００２０】
図に示すＰＶモジュール５は、一般に使用されている単結晶シリコン系または多結晶シリコン系のＰＶモジュール５である。このＰＶモジュール５は、一対の短辺及び長辺を有する平面視略長方形状であって、薄板状に形成されている。そして、表面側９には太陽電池セルが配置され、裏面側１０には電極ボックスが配置されるとともに、その電極ボックスからは他のＰＶモジュール５と電気的に連結するための端子ケーブルが伸びている（図示せず）。
【００２１】
縦フレーム部２には、左辺フレーム部２ａと右辺フレーム部２ｂがある。この左辺フレーム部２ａ及び右辺フレーム部２ｂは、ＰＶモジュール５の左側及び右側の短辺の縁部１１ａをそれぞれ覆う部材である。
【００２２】
図３に示す左辺レーム部２ａは正面視略逆Ｌ字状であって、厚さの薄い鋼板またはアルミニウム合金で形成された棒状の金属製の部材であり、その長さはＰＶモジュール５の短辺とほぼ等しい長さである。そして、左辺フレーム部２ａは、基幹部１２と支持部１３とからなる。
【００２３】
基幹部１２は断面略縦長長方形状の筒状体であって、その基幹部１２の天井部１４の幅方向Ｂの左側Ｂ１には、以下で詳述する架台４に左辺フレーム部２ａを設置する際に、架台４と左辺フレーム部２ａの間に生じる摩擦を減少させるための浅い切欠き部１５が全長に亘って設けられている。
【００２４】
その基幹部１２の底面１６の左側Ｂ１の端部には、架台４に左辺フレーム部２ａを設置する際に、左辺フレーム部２ａが架台４から脱落するのを防止するための突起状の係止片１８が、全長に亘って設けられている。
【００２５】
また、基幹部１２の右側Ｂ２の側壁部１９ａの内面２０には、基幹部１２の内側に向けて開口する断面略Ｃ字状のタッピングホール２１がネジ受けとして上下に二つ設けられている。これにより、左辺フレーム部２ａの両端面２３，２３に、以下で詳述する横フレーム部３である上辺フレーム部３ａ及び下辺フレーム部３ｂをネジ２２により固定し連結することができる。
【００２６】
一方、基幹部１２の左側Ｂ１の側壁部１９ｂの表面２４には、架台４に左辺フレーム部２ａを設置する際に架台４と左辺フレーム部２ａの間に生じる摩擦を減少させるため、断面略半円形状の小さな突起部２５が全長に亘って等間隔に三本設けられている。尚、図３では突起部２５は三本であるが、それ以下またはそれ以上の本数を設けてもよい。
【００２７】
基幹部１２の右側Ｂ２の上端には支持部１３が設けられている。この支持部１３は、水平方向へ突出する薄板状の上部支持部１３ａ及び下部支持部１３ｂからなり、それらの間にはＰＶモジュール５を挿入し支持するための断面略コの字状の支持溝２９が形成されている。
【００２８】
この支持溝２９にシリコン等の接着材を流し込むとともに、ＰＶモジュール５の短辺の縁部１１ａを挿入することにより、ＰＶモジュール５の左側の短辺の縁部１１ａに左辺フレーム部２ａを固定することができる。尚、支持溝２９にシリコン等の接着剤を流し込んでいるため、支持溝２９内への雨水の浸入を防止することができる。
【００２９】
一方、ＰＶモジュール５の右側の短辺の縁部１１ａを挿入するための右辺フレーム部２ｂは、図３に示す左辺フレーム部２ａと左右対称の構造となっている以外は全て左辺フレーム部２ａと同じ構造である。そのため、以下では右辺フレーム部２ｂの部位の名称及び符号については、左辺フレーム部２ａの対応する部位の名称及び符号と同一のものを使用する。尚、右辺フレーム部２ｂの材質も左辺フレーム部２ａと同様に鋼板またはアルミニウム合金で形成されている。
【００３０】
横フレーム部３には、上辺フレーム部３ａと下辺フレーム部２ｂがある。その上辺フレーム部３ａと下辺フレーム部３ｂは、ＰＶモジュール５の上側及び下側の長辺の縁部１１ｂを覆う部材である。
【００３１】
図４及び図１０に示す上辺フレーム部３ａは、厚さの薄い鋼板またはアルミニウム合金で形成された棒状の金属製の部材であり、その長さはＰＶモジュール５の長辺よりもやや長く形成されている。３０は基幹部であり、断面略台形状の筒状体である。
【００３２】
基幹部３０の側壁部３１の上端は、天井部３２よりも上方に突出しており、その上端には薄板状の上板部３３が水平方向であって天井部３２側に延び、基幹部３０のほぼ全長に亘って設けられている。そのため、上板部３３と基幹部３０の天井部３２によって支持部が形成され、その上板部３３と基幹部３０の天井部３２との間にはＰＶモジュール５を挿入し支持するための断面略コの字状の支持溝３４が形成されている。
【００３３】
この支持溝３４にシリコン等の接着材を流し込むとともに、ＰＶモジュール５の長辺の縁部１１ｂを挿入することにより、ＰＶモジュール５の長辺の縁部１１ｂに上辺フレーム部３ａを固定することができる。尚、支持溝３４にはシリコン等の接着剤が流し込まれているため、支持溝３４内への雨水の浸入を防止することができる。
【００３４】
また、側壁部３１の上方において、天井部３２側とは反対側に平板状のリブ３５が設けられている。このリブ３５は水平方向に設けられているとともに、基幹部３０の全長に亘って設けられている。
【００３５】
そしてこのリブ３５は、以下で詳述する下辺フレーム部３ｂの挟持部３８に形成された挿入溝５２に挿入して嵌合させるものであるが、その挿入溝５２に挿入しやすくして上辺フレーム部３ａと下辺フレーム部３ｂの嵌合作業を容易にするため、リブ３５の先端部３６が断面略半円状に形成されている。尚、リブ３５の先端部３６の形状は、下辺フレーム部３ｂの挟持部３８の挿入溝５２に挿入しやすい形状であればよく、断面略三角形状に尖らせた形状であってもよい。
【００３６】
側壁部３１の中段やや下方には断面略Ｊ字状の雨樋部３９が設けられている。この雨樋部３９は、リブ３５と同じ側であって基幹部３０のほぼ全長に亘って設けられており、その先端部には側壁部３１と平行になるように折り曲げられた当接面４０が形成されている。また、雨樋部３９の折り曲げられた内側には、雨水を排水するための集水部４１が形成されている。
【００３７】
側壁部３１の下端には、断面略三角形状の縁部４２が設けられている。この縁部４２は、リブ３５と同じ側であって基幹部３０のほぼ全長に亘って設けられている。また、縁部４２には、屋根下地１０１上に設置された補助桟木１０４に上辺フレーム部３ａを固定するための円形状のネジ孔４３が二か所設けられている。このネジ孔４３は、底板部４４に対して斜めに形成されているため、ネジ孔４３へのネジの締め込みや釘の打ち込みの際にリブ３５や雨樋部３９が邪魔にならず、屋根下地１０１上の補助桟木１０４に固定しやすくなっている。
【００３８】
尚、この円形状のネジ孔４３の代わりに、縁部４２の先端に向けて開口する略Ｕ字状の切欠き部を設けてもよい（図示せず）。
【００３９】
側壁部３１の両端にはネジ孔３７が設けられており、このネジ孔３７を介してネジ２２を縦フレーム部２である左辺フレーム部２ａや右辺フレーム部２ｂのタッピングホール２１に螺合することで、上辺フレーム部３ａに左辺フレーム部２ａや右辺フレーム部２ｂを固定し連結することができる。
【００４０】
一方、図５及び図１０に示す下辺フレーム部３ｂは、厚さの薄い鋼板またはアルミニウム合金で形成された棒状の金属製の部材であり、その長さはＰＶモジュール５の長辺よりもやや長く形成されている。４５は基幹部であり、断面略台形状の筒状体である。
【００４１】
基幹部４５の側壁部４６の上端は、天井部４８より上方に突出しており、その上端には薄板状の上板部４９が水平方向であって天井部４８側に延び、基幹部４５のほぼ全長に亘って設けられている。そのため、上板部４９と基幹部４５の天井部４８によって支持部が形成され、その上板部４９と基幹部４５の天井部４８との間にはＰＶモジュール５を挿入し支持するための断面略コの字状の支持溝５０が形成されている。
【００４２】
この支持溝５０にシリコン等の接着材を流し込むとともに、ＰＶモジュール５の長辺の縁部１１ｂを挿入することにより、ＰＶモジュール５の長辺の縁部１１ｂに下辺フレーム部３ｂを固定することができる。尚、支持溝５０にはシリコン等の接着剤が流し込まれているため、支持溝５０内への雨水の浸入を防止することができる。
【００４３】
一方、側壁部４６の上方において、支持溝５０の開口する側とは反対側に開口する挟持部３８が基幹部４５のほぼ全長に亘って設けられている。この挟持部３８は、水平方向に延びる上方挟持部３８ａと下方挟持部３８ｂからなり、断面略コの字状の挿入溝５２が形成されている。この挿入溝５２には、上辺フレーム部３ａのリブ３５が挿入可能であり嵌合させることができる。
【００４４】
尚、本実施例では上辺フレーム部３ａにリブ３５が設けられ下辺フレーム部３ｂに挟持部３８が設けられているが、上辺フレーム部３ａに挟持部３８が設けられ下辺フレーム部３ｂにリブ３５が設けられていてもよい。
【００４５】
側壁部４６の両端にはネジ孔４７が設けられており、このネジ孔４７を介してネジ２２を縦フレーム部２である左辺フレーム部２ａや右辺フレーム部２ｂのタッピングホール２１に螺合することで、下辺フレーム部３ｂに左辺フレーム部２ａや右辺フレーム部２ｂを固定し連結することができる。
【００４６】
また、下辺フレーム部３ｂの上面５３には、断面略縦長長方形状の雪止め部５４が下辺フレーム部３ｂのほぼ全長に亘って側壁部４６に沿って設けられている。この雪止め部５４により、ＰＶモジュール５上に積もった雪が一気に滑り落ちずに堰き止められるため、ＰＶモジュール５上からの不意な落雪による事故を防止することができる。また、雪止め部５４によって雪解け水や雨水も堰き止められるため、挿入溝５２からの雪解け水等の浸入を防止することができる。
【００４７】
尚、本実施例では雪止め部５４は下辺フレーム部３ｂの上面５３に設けられているが、上辺フレーム部３ａの上面５６に設けられていてもよい。但し、図１０に示すように、上辺フレーム部３ａにリブ３５が設けられ下辺フレーム部３ｂに挟持部３８が設けられている場合には、上辺フレーム部３ａの上面５６に雪止め部５４を設けると、堰き止められた雪解け水等が上方挟持部３８ａ付近に溜まり、挿入溝５２から設置構造１内に侵入しやすくなるため、雪止め部５４を下辺フレーム部３ｂの上面５３に設ける事が望ましい。
【００４８】
上記構造により、上辺フレーム部３ａと下辺フレーム部３ｂが連結可能となっている。具体的には、図１０に示すように、下辺フレーム部３ｂの挟持部３８に形成された挿入溝５２に上辺フレーム部３ａのリブ３５を挿入して嵌合させるとともに、下辺フレーム部３ｂの上方挟持部３８ａ及び下方挟持部３８ｂの先端面５５，５５を上辺フレーム部３ａの側壁部３１に当接させることで、上辺フレーム部３ａと下辺フレーム部３ｂとの間に隙間が生じないように密着させながら連結する事が可能であり、風雨時であっても上辺フレーム部３ａのリブ３５と下辺フレーム部３ｂの挟持部３８に形成された挿入溝５２との隙間から雨水が侵入するのを防止することができる。尚、挿入溝５２の幅をリブ３５の厚さとほぼ同じにして隙間をなくすことで、雨水が浸入するのを更に防止することができる。
【００４９】
また、上記のように下辺フレーム部３ｂの上方挟持部３８ａ及び下方挟持部３８ｂの先端面５５，５５を上辺フレーム部３ａの側壁部３１に当接させると、上辺フレーム部３ａの断面略Ｊ字状の雨樋部３９の当接面４０も下辺フレーム部３ｂの側壁部４６に当接する構造になっている。そのため、仮に上辺フレーム部３ａのリブ３５と下辺フレーム部３ｂの挟持部３８に形成された挿入溝５２との隙間から雨水が侵入した場合であっても、その雨水は雨樋部３９の集水部４１に確実に流れ落ちるため、侵入した雨水を設置構造１の外に排水することが可能となっている。
【００５０】
また、上辺フレーム部３ａの雨樋部３９の当接面４０が下辺フレーム部３ｂの側壁部４６に当接することで、ＰＶモジュール５や縦フレーム部２や横フレーム部３の重量を、上辺フレーム部３ａのリブ３５やそのリブ３５と嵌合する下辺フレーム部３ｂの挟持部３８だけでなく雨樋部３９でも支えることとなる。そのため、ＰＶモジュール５等の重量負荷を、横フレーム部３のリブ３５や挟持部３８だけでなく雨樋部３９にも分散して支えることとなるため、リブ３５や挟持部３８に重量負荷が集中して変形してしまうのを防止することができる。尚、本実施例では雨樋部３９が上辺フレーム部３ａの側壁部３１の中段やや下方に設けられているが、下辺フレーム部３ｂの側壁部４６の中段やや下方に設けられていてもよい。
【００５１】
上辺フレーム部３ａと下辺フレーム部３ｂの連結時に、図１０に示すように、上辺フレーム部３ａの上面５６と下辺フレーム部３ｂの上面５３とが面一になることが望ましい。面一にして段差をなくすことで、風雨時に上辺フレーム部３ａの上面５６及び下辺フレーム部３ｂの上面５３に雨水が吹き寄せられても溜まる事がないため、上辺フレーム部３ａのリブ３５と下辺フレーム部３ｂの挟持部３８に形成された挿入溝５２との隙間から雨水が侵入するのを防止することができるとともに、意匠性の高い見た目の綺麗な設置構造１とすることができる。
【００５２】
また、上記構造により、縦フレーム部２と横フレーム部３の連結が可能となっている。具体的には、図６に示すように、上辺フレーム部３ａの両端付近においては上板部３３が設けられておらず、基幹部３０も側壁部３１のみであるため、平面部５８が形成されている。その平面部５８に、右辺フレーム部２ｂの端面２３を当接させてネジ孔３７を介してネジ２２を右辺フレーム部２ｂのタッピングホール２１に螺合することで右辺フレーム部２ｂと上辺フレーム部３ａとを連結することができる。
【００５３】
このとき、図９−１に示すように、上辺フレーム部３ａの上板部３３や基幹部３０を右辺フレーム部２ｂの支持部１３や基幹部１２にぴったりと密着させて隙間が無い状態とし、上辺フレーム部３ａの基幹部３０内や右辺フレーム部２ｂの基幹部１２内への雨水の浸入による腐食を防止している。
【００５４】
また、右辺フレーム部２ｂと上辺フレーム部３ａの連結時に、図６に示すように、右辺フレーム部２ｂの上面５９と上辺フレーム部３ａの上面５６とがほぼ同じ高さとなることが望ましい。ほぼ同じ高さにして段差をなるべくなくすことで、風雨時に右辺フレーム部２ｂの上面５９及び上辺フレーム部３ａの上面５６に雨水が吹き寄せられても溜まりにくくなるため、上辺フレーム部３ａと右辺フレーム部２ｂとの間から上辺フレーム部３ａの基幹部３０内や右辺フレーム部２ｂの基幹部１２内へ雨水が浸入するのを防止することができるとともに、意匠性の高い見た目の綺麗な設置構造１とすることができる。
【００５５】
尚、左辺フレーム部２ａについても右辺フレーム部２ｂの場合とほぼ同様にして上辺フレーム部３ａと連結することが可能である。
【００５６】
また、図７に示すように、下辺フレーム部３ｂについても両端付近においては上板部４９が設けられておらず、基幹部４５も側壁部４６のみであるため、平面部６０が形成されている。その平面部６０に、左辺フレーム部２ａの端面２３を当接させてネジ孔４７を介してネジ２２により左辺フレーム部２ｂのタッピングホール２１に螺合することで左辺フレーム部２ａと下辺フレーム部３ｂとを連結することができる。
【００５７】
このとき、図９−２に示すように、下辺フレーム部３ｂの上板部４９や基幹部４５を左辺フレーム部２ａの支持部１３や基幹部１２にぴったりと密着させて隙間が無い状態とし、下辺フレーム部３ｂの基幹部４５内や左辺フレーム部２ａの基幹部１２内への雨水の侵入による腐食を防止している。
【００５８】
また、左辺フレーム部２ａと下辺フレーム部３ｂの連結時に、図７に示すように、左辺フレーム部２ａの上面５９と下辺フレーム部３ｂの上面５３とがほぼ同じ高さとなることが望ましい。ほぼ同じ高さにして段差をなるべくなくすことで、風雨時に左辺フレーム部２ａの上面５９と下辺フレーム部３ｂの上面５３に雨水が吹き寄せられても溜まりにくくなるため、下辺フレーム部３ｂと左辺フレーム部２ａとの間から下辺フレーム部３ｂの基幹部４５内や左辺フレーム部２ａの基幹部１２内へ雨水が浸入するのを防止することができるとともに、意匠性の高い見た目の綺麗な設置構造１とすることができる。
【００５９】
尚、右辺フレーム部２ｂについても左辺フレーム部２ａの場合とほぼ同様にして下辺フレーム部３ｂと連結することができる。
【００６０】
上記のように、ＰＶモジュール５の四辺の縁部１１に縦フレーム部２及び横フレーム部３をシリコン等の接着剤で固定するとともに、縦フレーム部２と横フレーム部３をネジ２２により連結することで、図１及び図２に示すＰＶモジュール体５Ａを形成することができる。
【００６１】
図８に示す４は、ＰＶモジュール５を支える架台である。架台４は、土台部６１とフレーム支持部６２からなり、全体の形状が正面視略王字状で厚さの薄い鋼板またはアルミニウム合金で形成されている。そして、土台部６１は細長い略長方形状の底板部６３からなり、その底板部６３（土台部６１）上の幅方向Ｃの両端よりやや内寄りの位置において、断面略縦長長方形状の仕切り部６４が底板部６３（架台４）の全長に亘って垂直に設けられている。
【００６２】
この仕切り部６４とフレーム支持部６２の下端部との間には排水部６５が形成され、流れ込んできた雨水を本発明に係る設置構造１の外に排出する役割を果たす。
【００６３】
また、底板部６３（土台部６１）と仕切り部６４とによって形成される隅部の排水部６５側には、フレーム支持部６２側の斜め上方が欠けている断面略Ｃ字状のタッピングホール６６が架台４の全長に亘って設けられている。これにより、二つの架台４，４を一直線状に並べてそれぞれのタッピングホール６６に円柱状の細長いピン（図示せず）を差し込むことで、架台４を連続的に接ぐことができ、長さの長い架台４が必要な場合にも対応することができる。
【００６４】
また、底板部６３の幅方向Ｃの両端には、架台４を屋根１００の屋根下地１０１上に固定するためのネジ孔６８が仕切り部６４に沿って複数箇所に設けられている。
【００６５】
尚、図８等に示す架台４の底板部６３の裏面６９は平面であるが、底板部６３の長さ方向Ｆに連続する波状の凹凸を裏面６９全体に施してもよい。裏面６９を波状とすることで、毛細管現象によって底板部６３の裏面６９と屋根下地１０１との間に雨水が浸入するのを防止することができるとともに、底板部６３の裏面６９と屋根下地１０１との接触面積が小さくなり滑り摩擦も小さくなるため、屋根下地１０１上への架台４の設置労力を軽減することもできる。
【００６６】
フレーム支持部６２は、起立部７０とフランジ部７１からなり、そのフランジ部７１は上方フランジ部７１ａと下方フランジ部７１ｂの二つの部材からなる。そして、底板部６３上において幅方向Ｃの中央に起立部７０が垂直に設けられ、その上端部には上方フフランジ部７１ａが、下端部付近には下方フランジ部７１ｂがそれぞれ底板部６３と平行に設けられている。そのため、架台４の全長に亘って断面略コの字状のレール部７２が起立部７０の左右に形成されている。尚、図８では起立部７０は下端部付近以外において内部に空洞ができるように２枚の薄板で形成されているが、１枚の厚板で形成されていてもよい。
【００６７】
また、上方フランジ部７１ａ及び下方フランジ部７１ｂは、起立部７０から左右に均等な幅で突出するように設けられている。そして、左右の両下方フランジ部７１ｂの上面７８の端部には、上方へ突出する係止片７４が架台４の全長に亘って設けられている。
【００６８】
上記のような構成とすることで、架台４に形成されている左右のレール部７２に、縦フレーム部２を支持させてＰＶモジュール体５Ａを設置することが可能となる。具体的には、図９−１及び図９−２に示すように、ＰＶモジュール体５Ａの左辺フレーム部２ａ及び右辺フレーム部２ｂの切欠き部１５，１５を架台４の上方フランジ部７１ａ，７１ａに嵌合させながら基幹部１２，１２をレール部７２，７２に挿入することで、ＰＶモジュール体５Ａを架台４のレール部７２に支持させるとともに、レール部７２の所望の位置までスライドさせて設置することができる。
【００６９】
また、上記のように、ＰＶモジュール体５Ａの左辺フレーム部２ａ及び右辺フレーム部２ｂをレール部７２に支持させることで、上方フランジ部７１ａ及び下方フランジ部７１ｂによりＰＶモジュール体５Ａの上下方向への移動が抑制されるため、ＰＶモジュール体５Ａが強風により吹きあがるのを防止することができる。
【００７０】
また、架台４にＰＶモジュール体５Ａを設置する際に、ＰＶモジュール体５Ａが屋根１００上で桁行方向Ｄへずれようとする場合であっても、左辺フレーム部２ａ及び右辺フレーム部２ｂの係止片１８が下方フランジ部７１ｂの係止片７４に衝突するため、架台４からＰＶモジュール体５Ａが脱落するのを防止することができ、作業者が安全に設置作業を行うことが可能となる。
【００７１】
そして、縦フレーム部２の天井部１４に切欠き部１５が設けられているため、ＰＶモジュール体５Ａの縦フレーム部２（左辺フレーム部２ａ及び右辺フレーム２ｂ）を架台４のレール部７２に挿入したときに、縦フレーム部２の天井部１４と架台４の上方フランジ部７１ａとの間に隙間が形成され、ＰＶモジュール体５Ａをスライドさせる際の摩擦の軽減につながり、ＰＶモジュール５の設置作業の労力が軽減されるとともに作業者の屋根１００上での作業時間を短縮できるため、作業者の安全性を確保することができる。
【００７２】
上記のように摩擦を軽減するため、縦フレーム部２の基幹部１２の高さｈは、架台４の上方フランジ部７１ａと下方フランジ部７１ｂとの間の距離Ｈよりも約１ｍｍ〜５ｍｍ程度低い方が望ましい。また、縦フレーム部２の切欠き部１５の横幅ｗは、上方フランジ部７１ａの幅Ｗよりも約１ｍｍ〜５ｍｍ程度広い方が望ましい。
【００７３】
架台４の起立部７０の表面７５には、架台４の全長に亘って断面略半円形状の小さな突起部７６が間隔を開けて二本設けられている。起立部７０の表面７５は、架台４のレール部７２にＰＶモジュール体５Ａの縦フレーム部２を挿入したときに、縦フレーム部２の側壁部１９ｂの表面２４と対峙する面であるため、起立部７０の表面７５と縦フレーム部２の側壁部１９ｂの表面２４との接触面積を小さくするために突起部７６が設けられている。
【００７４】
このように接触面積を小さくすることで、ＰＶモジュール体５Ａの縦フレーム部２をレール部７２に挿入してスライドさせる際の架台４の起立部７０の表面７５と縦フレーム部２の側壁部１９ｂの表面２４との摩擦が軽減でき、ＰＶモジュール５の設置作業の労力が軽減されるとともに作業者の屋根上での作業時間を短縮できるため、作業者の安全性を確保することが出来る。
【００７５】
尚、図８等では突起部７６は二本設けられているが、一本でも三本以上であってもよい。また、突起部７６の位置については、架台４のレール部７２にＰＶモジュール体５Ａの縦フレーム部２を挿入したときに、縦フレーム部２に設けられた突起部２５の位置と重なる位置に設けないように注意を要する。
【００７６】
また、架台４の上方フランジ部７１ａの角部や縦フレーム部２の角部を曲面にすることによっても、上記スライド作業の際の摩擦の軽減につながり、設置作業の労力をより軽減することができる。
【００７７】
架台４の下方フランジ部７１ｂの上面７８の高さは、底板部６３の上面７９よりも５ｍｍ以上高いことが望ましい。上記の高さとすることで、架台４のレール部７２にＰＶモジュール体５Ａを設置したあとであっても底板部６３の上面７９付近や屋根下地１０１付近の通気性を確保できるため、屋根下地１０１の野地板１０３の腐食の原因となる湿気や、ＰＶモジュール５の発電効率を低下させる熱気が滞留するのを防止することができる。
【００７８】
また、図９−１及び図９−２に示すように、架台４のレール部７２にＰＶモジュール体５Ａの縦フレーム部２を挿入したときに、上辺フレーム部３ａの底板部４４及び下辺フレーム部３ｂの底板部５１が架台４の仕切り部６４に接触しないように、仕切り部６４の高さは少なくとも下方フランジ部７１ｂの係止片７４の高さよりも低くしなければならない。
【００７９】
尚、架台４の長さは数メートルあり、どこで切断しても同じ断面となるように形成されているため、現場で必要な長さに切断して使用することが可能である。
【００８０】
上記のような構成とすることで、架台４のレール部７２にＰＶモジュール体５Ａの縦フレーム部２を挿入したときに形成される縦フレーム部２の天井部１４と架台４の上方フランジ部７１ａとの間の隙間に雨水が吹き込んだ場合であっても、その雨水は架台４のレール部７２と縦フレーム部２の基幹部１２との隙間を通って下方フランジ部７１ｂの上面７８から土台部６１の排水部６５へと流れ落ちて架台４の下端部から外へ排出されるか、架台４のレール部７２と縦フレーム部２の基幹部１２との隙間をそのまま通って架台４の下端部から外に排出される。
【００８１】
また、縦フレーム部２の天井部１４と架台４の上方フランジ部７１ａとの間に形成される隙間からの雨水の浸入をなるべく阻止するため、縦フレーム部２の上部支持部１３ａの上面５９の高さと架台４の上方フランジ部７１ａの上面７７の高さをなるべく等しくすることが望ましい。
【００８２】
次に、本発明に係る設置構造１の屋根下地１０１上への設置手順について説明する。屋根１００には、一面に張られた野地板１０３の上にルーフィング等の防水シートが敷設された屋根下地１０１が形成されており、その上に架台４を設置する。このとき、架台４を軒棟方向Ｅに設置するとともに、軒先部１０６付近から棟部１１０付近にかけて設置し、底板部６３のネジ孔６８を介してネジ８０等で屋根下地１０１上に固定する。
【００８３】
そして、上記と同様にして屋根下地１０１上に架台４を等間隔かつ平行に複数本設置する。このときの架台４と架台４の距離は、横フレーム部３の長さよりもやや長めとし、屋根１００の桁行方向Ｄの幅一杯に設置する。
【００８４】
また、架台４にＰＶモジュール体５Ａを設置したときに、横フレーム部３が下方にたわむのを防止するとともにＰＶモジュール体５Ａを固定するための補助桟木１０４を、架台４と架台４の間において架台４と平行に設置するとともに軒先部１０６付近から棟部１１０付近にかけて設置し、釘１０５等により屋根下地１０１上に固定しておく。
【００８５】
そして、ＰＶモジュール５を用意し、その四辺に縦フレーム部２及び横フレーム部３を固定する。具体的には、上記のようにまず縦フレーム部２である左辺フレーム部２ａ及び右辺フレーム部２ｂの支持溝２９、並びに横フレーム部３である上辺フレーム部３ａの支持溝３４及び下辺フレーム部３ｂの支持溝５０にシリコン等の接着剤を流し込む。
【００８６】
そして、ＰＶモジュール５の短辺の縁部１１ａを左辺フレーム部２ａ及び右辺フレーム部２ｂの支持溝２９にそれぞれ挿入するとともに、長辺の縁部１１ｂを上辺フレーム部３ａの支持溝３４及び下辺フレーム部３ｂの支持溝５０にそれぞれ挿入することでＰＶモジュール５に固定する。そして、上記のようにネジ２２により縦フレーム部２と横フレーム部３とを連結することで、図１及び図２に示すＰＶモジュール体５Ａを形成する。
【００８７】
次に、屋根下地１０１上に設置された架台４に形成されたレール部７２の上端部８１において、図９−１及び図９−２に示すように、第一段目（最も軒先部１０６側）に設置するＰＶモジュール体５Ａの左辺フレーム部２ａ及び右辺フレーム部２ｂの切欠き部１５，１５を、隣り合う二つの架台４，４の上方フランジ部７１ａ，７１ａにそれぞれ嵌合させつつ、レール部７２，７２に左辺フレーム部２ａの基幹部１２と右辺フレーム部２ｂの基幹部１２を挿入することで、ＰＶモジュール体５Ａを架台４のレール部７２に支持させるとともに、軒先部１０６に向かってＰＶモジュール体５Ａをスライドさせ、レール部７２の下端部８２まで移動させる。
【００８８】
その後、図１１に示すように、レール部７２の下端部８２であって下方フランジ部７１ａの上面７８に設けられた係止ネジ８３に、ＰＶモジュール体５Ａの下辺フレーム部３ｂの側壁部４６を係止させるとともに、図１０に示すように、上辺フレーム部３ａの縁部４２のネジ孔４３を介して補助桟木１０４にＰＶモジュール体５Ａをネジ８４等で固定し設置する。
【００８９】
そして、上記のＰＶモジュール体５Ａを形成する作業及び架台４にＰＶモジュール体５Ａを設置する作業を繰り返し行い、隣り合う二つの架台４，４の間の全てにおいてＰＶモジュール体５Ａを設置することで第一段目のＰＶモジュール体５Ａの設置が完了するとともに、屋根１００の桁行方向ＤにＰＶモジュール５を連続して面一に設置することができる。
【００９０】
次に、第二段目のＰＶモジュール体５Ａを設置する。この場合も上記の第一段目の場合と同様に、ＰＶモジュール５の四辺に縦フレーム部２及び横フレーム部３を固定したＰＶモジュール体５Ａを形成し、その左辺フレーム部２ａの基幹部１２と右辺フレーム部２ｂの基幹部１２を、隣り合う二つの架台４，４のレール部７２，７２の上端部８１，８１から挿入し、レール部７２の下端部８２に向かってＰＶモジュール体５Ａをスライドさせて移動させる。
【００９１】
そして、第二段目のＰＶモジュール体５Ａを第一段目のＰＶモジュール体５Ａの直上まで移動させ、図１０に示すように、第一段目のＰＶモジュール体５Ａの上辺フレーム部３ａのリブ３５を第二段目のＰＶモジュール体５Ａの下辺フレーム部３ｂの挟持部３８の挿入溝５２に挿入して嵌合させるとともに、下辺フレーム部３ｂの上方挟持部３８ａ及び下方挟持部３８ｂの先端面５５，５５を上辺フレーム３ａの側壁部３１に当接させて、第一段目及び第二段目のＰＶモジュール体５Ａを連結する。
【００９２】
その後、第二段目のＰＶモジュール体５Ａの上辺フレーム部３ａの縁部４２のネジ孔４３を介して、補助桟木１０４にＰＶモジュール体５Ａをネジ８４等で固定し設置する。そして、上記のＰＶモジュール体５Ａを形成する作業及び架台４にＰＶモジュール体５Ａを設置する作業を繰り返し行い、隣り合う二つの架台４，４の間の全てにおいてＰＶモジュール体５Ａを設置することで、第二段目のＰＶモジュール体５Ａの設置が完了するとともに、屋根１００の桁行方向ＤにＰＶモジュール５を連続して面一に設置することができる。
【００９３】
また、第三段目以降のＰＶモジュール体５Ａを設置する場合も、上記の第二段目の場合と同様にＰＶモジュール体５Ａを形成する作業及び架台４にＰＶモジュール体５Ａを設置する作業を繰り返し行うことで、屋根１００の軒棟方向ＥにもＰＶモジュール５を連続して面一に設置することができ、意匠性の高い見た目の綺麗な設置構造１とすることができる。
【００９４】
そして、全てのＰＶモジュール体５Ａを設置してＰＶモジュール５の裏面側１０で端子ケーブルを接続した後、ＰＶモジュール体５Ａと屋根下地１０１との間に生じる隙間８６に雨水や埃等が侵入しないように、ＰＶモジュール体５Ａが設置されている架台４の周囲を屋根材等により覆う。
【００９５】
具体的には、屋根１００の軒先部１０６においては図１１に示すように、第一段目に設置されたＰＶモジュール体５Ａの下辺フレーム部３ｂの挿入溝５２に屋根材１０８の端部を挿入しつつシリコン等の接着剤８８で固定するとともに、屋根材１０８を折り曲げながら延設し外壁１０９まで覆う。こうすることで、軒先部１０６からの雨水や埃等の浸入を防止することができる。
【００９６】
また、屋根１００の棟部１１０においては図１２に示すように、喚起棟１１１から延びる屋根材１１２を延設し、最上段に設置されたＰＶモジュール体５Ａの上辺フレーム部３ａの上面５６が隠れるように覆う。こうすることで、棟部１１０からの雨水や埃等の浸入を防止することができる。
【００９７】
更に、屋根１００の両端の袖部においては、ケラバ包みを形成する屋根材を延設し、袖部の一番近くに設置された架台４の袖部側のレール部７２や排水部６５等が隠れるように覆うとともに、上記のように軒先部１０６及び棟部１１０に設けられた屋根材１０８，１１２の両端を覆って雨仕舞いを施すことにより、本発明に係る設置構造１が完成する（図示せず）。
【００９８】
尚、上記屋根材１０８，１１２等の材質は、耐久性が高く加工しやすいガルバリウム鋼板が望ましい。また、耐久性を高めるために屋根材の表面にフッ素樹脂を塗布するとなお望ましいが、これらに限定されるものではない。また、架台４の周囲を覆うのは必ずしも屋根材である必要は無く、屋根材とは別の金属製の薄板を使用してもよい。
【００９９】
上記の設置構造１によれば、設置構造１の内部への雨水や埃等の浸入を防止できるとともに、仮に雨水が内部に侵入した場合であっても設置構造１の外部に排水することができる。
【０１００】
具体的に説明すると、上辺フレーム３ａのリブ３５と下辺フレーム３ｂの挟持部３８に形成された挿入溝５２との隙間から雨水が侵入した場合は、その雨水は下方挟持部３８ｂの先端面５５を伝って雨樋部３９が形成する集水部４１に流れ落ちる（図１０参照）。そして、雨水は雨樋部３９の両端から架台４の土台部６１の排水部６５へと流れ落ち（図９−１参照）、その後、排水部６５の下端部から屋根下地１０１の防水シート１０２上に流れ落ち、最後は軒先部１０６から地面へと流れ落ちる（図１１参照）。
【０１０１】
また、架台４の上方フランジ部７１ａと縦フレーム部２の天井部１４との間に形成される隙間に雨水が吹き込んだ場合は、その雨水は架台４のレール部７２と縦フレーム部２の基幹部１２との隙間を通って下方フランジ部７１ｂの上面７８から土台部６１の排水部６５へと流れ落ちて排水部６５の下端部から架台４の外に排出されるか、架台４のレール部７２と縦フレーム部２の基幹部１２との隙間をそのまま通ってレール部７２の下端部８２から架台４の外に排出される（図９−１及び図９−２参照）。そして、雨水は屋根下地１０１の防水シート１０２上に流れ落ち、最後は軒先部１０６から地面へと流れ落ちる（図１１参照）。
【０１０２】
また、本発明に係る設置構造１は上記のように防水性を有するため、屋根材としての役割も果たす。そのため、本発明に係る設置構造１は屋根材を必要とせず、屋根１００にＰＶモジュール５を設置する際のコストの削減を図ることができる。
【０１０３】
また、上記のように、本発明に係る設置構造１の屋根下地１０１上への設置作業が非常に容易であるため、作業者のＰＶモジュール５の設置作業の労力が軽減されるとともに、作業者の屋根１００上での作業時間を短縮できるため作業者の安全性が確保できる。
【０１０４】
尚、本発明に係る設置構造１は、屋根１００の勾配角度に関わらず屋根下地１０１上にＰＶモジュール５を設置することができる。そのため、屋根１００の角度が地面に対し水平であっても垂直であっても、屋根下地１０１上にＰＶモジュール５を設置することができる。
【符号の説明】
【０１０５】
１    設置構造              ６０    平面部
２    縦フレーム部          ６１    土台部
３    横フレーム部          ６２    フレーム支持部
４    架台                  ６３    底板部
５    ＰＶモジュール        ６４    仕切り部
５Ａ  ＰＶモジュール体      ６５    排水部
９    表面側                ６６    タッピングホール
１０  裏面側                ６８    ネジ孔
１２  基幹部                ７０    起立部
１３  支持部                ７１    フランジ部
１４  天井部                ７２    レール部
１５  切欠き部              ７４    係止片
１８  係止片                ７６    突起部
１９  側壁部                ８０    ネジ
２１  タッピングホール      ８１    上端部
２２  ネジ                  ８２    下端部
２５  突起部                ８３    係止ネジ
２９  支持溝                ８４    ネジ
３０  基幹部                ８６    隙間
３１  側壁部                １００  屋根
３２  天井部                １０１  屋根下地
３３  上板部                １０２  防水シート
３４  支持溝                １０３  野地板
３５  リブ                  １０４  補助桟木
３７  ネジ孔                １０５  ネジ
３８  挟持部                １０６  軒先部
３９  雨樋部                １０８  屋根材
４１  集水部                １０９  外壁
４２  縁部                  １１０  棟部
４３  ネジ孔                １１１  喚起棟
４４  底板部                １１２  屋根材
４５  基幹部                Ｗ，ｗ  幅
４６  側壁部                Ｈ，ｈ  高さ
４７  ネジ孔                Ａ      断面
４８  天井部                Ｂ      幅方向
４９  上板部                Ｃ      幅方向
５０  支持溝                Ｄ      桁行方向
５１  底板部                Ｅ      軒棟方向
５２  挿入溝                Ｆ      長さ方向
５４  雪止め部
５８  平面部
【図１】
2014221989.tif 000003
【図２】
2014221989.tif 000004
【図３】
2014221989.tif 000005
【図４】
2014221989.tif 000006
【図５】
2014221989.tif 000007
【図６】
2014221989.tif 000008
【図７】
2014221989.tif 000009
【図８】
2014221989.tif 000010
【図９−１】
2014221989.tif 000011
【図９−２】
2014221989.tif 000012
【図１０】
2014221989.tif 000013
【図１１】
2014221989.tif 000014
【図１２】
2014221989.tif 000015
【手続補正書】
【提出日】平成26年2月26日(2014.2.26)
【手続補正１】
【補正対象書類名】特許請求の範囲
【補正対象項目名】全文
【補正方法】変更
【補正の内容】
【特許請求の範囲】
【請求項１】
太陽電池モジュールと縦フレーム部と横フレーム部と架台とからなり屋根下地上に太陽電池モジュールを設置するための設置構造であって、前記縦フレーム部は細長い基幹部と該基幹部の上方に設けられた支持部からなり、前記横フレーム部は細長い基幹部と該基幹部の上方に設けられた支持部からなり、前記架台は長さの長い土台部と該土台部の中央に立設され全長に亘って設けられたフレーム支持部からなり、前記太陽電池モジュールの短辺及び長辺の縁部が前記縦フレーム部の前記支持部及び前記横フレーム部の前記支持部に支持されるとともに固定されて太陽電池モジュール体が形成され、前記屋根下地上の軒棟方向に複数本の前記架台が互いに平行に設置され、前記太陽電池モジュール体の二つの前記縦フレーム部の前記基幹部が前記架台の前記フレーム支持部に形成されたレール部にそれぞれ支持されて複数本の前記架台の間に複数の前記太陽電池モジュール体が設置されていることを特徴とする太陽電池モジュールの設置構造。
【請求項２】
前記横フレーム部を構成する上辺フレーム部及び下辺フレーム部のいずれか一方にはリブが設けられ、他方には該リブと嵌合する挟持部が設けられていることを特徴する請求項１記載の太陽電池モジュールの設置構造。
【請求項３】
前記屋根下地上に設置された前記架台及び該架台に設置された前記太陽電池モジュール体の周囲の全部または一部が屋根材等により覆われていることを特徴とする請求項１または請求項２記載の太陽電池モジュールの設置構造。
【請求項４】
前記架台の前記土台部の幅方向の両端付近に仕切り部が設けられ、前記架台の全長に亘って排水部が形成されていることを特徴とする請求項１ないし請求項３のいずれかの項に記載の太陽電池モジュールの設置構造。
【請求項５】
前記上辺フレーム部の前記基幹部または前記下辺フレーム部の前記基幹部に雨樋部が設けられていることを特徴とする請求項１ないし請求項４のいずれかの項に記載の太陽電池モジュールの設置構造。
【請求項６】
前記架台の起立部の表面とこれに対峙する前記縦フレーム部の前記基幹部の側壁部のいずれか一方または両方に突起部が設けられていることを特徴とする請求項１ないし請求項５のいずれかの項に記載の太陽電池モジュールの設置構造。
【請求項７】
前記縦フレーム部の底面及び前記架台の下方フランジ部の上面に係止片が設けられていることを特徴とする請求項１ないし請求項６のいずれかの項に記載の太陽電池モジュールの設置構造。
【請求項８】
前記横フレーム部の前記リブの先端部が断面略半円状または断面略三角形状であることを特徴とする請求項１ないし請求項７のいずれかの項に記載の太陽電池モジュールの設置構造。
【請求項９】
前記縦フレーム部の前記基幹部の天井部に、前記架台の前記フレーム支持部の上方フランジ部と嵌合する切欠き部が形成されていることを特徴とする請求項１ないし請求項８のいずれかの項に記載の太陽電池モジュールの設置構造。
【請求項１０】
前記架台の底板部の裏面が波状面であることを特徴とする請求項１ないし請求項９のいずれかの項に記載の太陽電池モジュールの設置構造。
【請求項１１】
前記上辺フレーム部の上面または前記下辺フレーム部の上面に雪止め部が設けられていることを特徴とする請求項１ないし請求項１０のいずれかの項に記載の太陽電池モジュールの設置構造。
【手続補正２】
【補正対象書類名】明細書
【補正対象項目名】全文
【補正方法】変更
【補正の内容】
【発明の詳細な説明】
【技術分野】
【０００１】
本発明は、太陽電池モジュールの設置構造、詳しくは屋根下地上への太陽電池モジュールの設置が容易である太陽電池モジュールの設置構造に関する。
【背景技術】
【０００２】
近年、地球環境に配慮したクリーンエネルギーである太陽光を利用して発電を行い、二酸化炭素（ＣＯ2)の排出量を減らそうとするエコの意識が世の中では高まってきている。そのため、自宅の屋根に太陽光で発電する太陽電池モジュールを設置し、調理、給湯、空調などのシステムをすべて電気でまかなう家庭も年々増加している。
【０００３】
住宅の屋根に太陽電池モジュールを設置する方法としては、屋根材の上に固定された架台等の取付金具によって太陽電池モジュールを支持しながら設置するいわゆる屋根置き型の設置方法や、屋根材であるベース材上に太陽電池モジュールが固定部材を介して固定された太陽電池モジュール一体型屋根材を用いて屋根を葺きながら設置する方法等が知られている。
【先行技術文献】
【特許文献】
【０００４】
【特許文献１】特開２００６−３２８８８７号公報
【特許文献２】特開２００７−２２４５３８号公報
【特許文献３】特開２００７−２３１５３９号公報
【０００５】
しかし、屋根材の上に固定された架台等の取付金具によって太陽電池モジュールを支持しながら設置する従来の方法は、まず屋根材の上に多くの架台等の取付金具をネジ等により固定しなければならないため、太陽電池モジュールの取付作業に多くの時間を必要とする。また、上記方法は屋根材にネジ孔を開けるため、そのネジ孔から雨水が浸入する可能性があり、雨漏りや野地板の腐食の原因となっている。また、架台等の取付金具や太陽電池モジュールの重さによって屋根材を傷め易いという欠点があるとともに、取付金具の部品数が多いためコストが高くなるという欠点もある。
【０００６】
一方、太陽電池モジュールが固定された太陽電池モジュール一体型屋根材を用いて屋根を葺きながら設置する従来の方法は、まずベース材上に固定部材を介して太陽電池モジュールを取付けて太陽電池モジュール一体型屋根材を作成する必要があり、太陽電池モジュール一体型屋根材を設置する前段階の作業が煩雑であるとともに多くの時間を要する。
【０００７】
また、太陽電池モジュール一体型屋根材は、屋根材に孔を開けてその孔に太陽電池モジュールから伸びるケーブルを通し、屋根材の裏面側で他の屋根材の太陽電池モジュールと電気的に接続する構造であるため、屋根材に開けた孔から雨水が浸入する可能性があり、雨漏りや野地板の腐食の原因となっている。
【０００８】
更に、屋根材の平均寿命が太陽電池の平均寿命よりもかなり短いため、太陽電池モジュール一体型屋根材の場合は屋根材の交換時期が先に来るが、屋根材だけでなく太陽電池モジュール一体型屋根材全体を交換しなければならず、費用が割高になってしまうという欠点もある。
【発明の概要】
【発明が解決しようとする課題】
【０００９】
そこで本発明は、上記のような従来の欠点を解消するものであり、屋根下地上への太陽電池モジュールの設置が容易であり、屋根材と同様の防水性及び排水性を有するとともに軽量でコストが安く意匠性の高い太陽電池モジュールの設置構造を提供することを目的とする。
【課題を解決するための手段】
【００１０】
上記の目的を達成するため、本発明の請求項１に係る発明は、太陽電池モジュールと縦フレーム部と横フレーム部と架台とからなり屋根下地上に太陽電池モジュールを設置するための設置構造であって、前記縦フレーム部は細長い基幹部と該基幹部の上方に設けられた支持部からなり、前記横フレーム部は細長い基幹部と該基幹部の上方に設けられた支持部からなり、前記架台は長さの長い土台部と該土台部の中央に立設され全長に亘って設けられたフレーム支持部からなり、前記太陽電池モジュールの短辺及び長辺の縁部が前記縦フレーム部の前記支持部及び前記横フレーム部の前記支持部に支持されるとともに固定されて太陽電池モジュール体が形成され、前記屋根下地上の軒棟方向に複数本の前記架台が互いに平行に設置され、前記太陽電池モジュール体の二つの前記縦フレーム部の前記基幹部が前記架台の前記フレーム支持部に形成されたレール部にそれぞれ支持されて複数本の前記架台の間に複数の前記太陽電池モジュール体が設置されていることを特徴とする。
【００１１】
また、請求項２に係る発明は、前記横フレーム部を構成する上辺フレーム部及び下辺フレーム部のいずれか一方にはリブが設けられ、他方には該リブと嵌合する挟持部が設けられていることを特徴する。また、本願の請求項３に係る発明は、前記屋根下地上に設置された前記架台及び該架台に設置された前記太陽電池モジュール体の周囲の全部または一部が屋根材等により覆われていることを特徴とする。また、請求項４に係る発明は、前記架台の前記土台部の幅方向の両端付近に仕切り部が設けられ、前記架台の全長に亘って排水部が形成されていることを特徴とする。また、請求項５に係る発明は、前記上辺フレーム部の前記基幹部または前記下辺フレーム部の前記基幹部に雨樋部が設けられていることを特徴とする。
【００１２】
また、請求項６に係る発明は、前記架台の起立部の表面とこれに対峙する前記縦フレーム部の前記基幹部の側壁部のいずれか一方または両方に突起部が設けられていることを特徴とする。また、請求項７に係る発明は、前記縦フレーム部の底面及び前記架台の下方フランジ部の上面に係止片が設けられていることを特徴とする。また、請求項８に係る発明は、前記横フレーム部の前記リブの先端部が断面略半円状または断面略三角形状であることを特徴とする。また、請求項９に係る発明は、前記縦フレーム部の前記基幹部の天井部に、前記架台の前記フレーム支持部の上方フランジ部と嵌合する切欠き部が形成されていることを特徴とする。また、請求項１０に係る発明は、前記架台の底板部の裏面が波状面であることを特徴とする。
【００１３】
また、請求項１１に係る発明は、前記上辺フレーム部の上面または前記下辺フレーム部の上面に雪止め部が設けられていることを特徴とする。
【発明の効果】
【００１４】
上記より、請求項１に係る発明によれば、屋根下地上に太陽電池モジュールを容易に設置することができるとともに、それにより作業者の屋根上での作業時間を短縮できるため、作業者の安全性を確保することができる。また、意匠性の高い太陽電池モジュールの設置構造を提供することができる。
【００１５】
また、請求項２ないし請求項５に係る発明によれば、太陽電池モジュールの設置構造全体が防水性及び排水性を有するため屋根下地上に屋根材を葺く必要がなくなり、新築住宅等への太陽電池モジュールの設置コストを削減することができるとともに、屋根下地上への重量の負担を軽減することができる。また、屋根下地上に屋根材を葺く必要がないため、作業者の屋根上での作業時間を短縮でき、作業者の安全性を確保することができる。
【００１６】
また、請求項６ないし請求項１０に係る発明によれば、太陽電池モジュールの設置作業が更に容易になり、作業時間を更に短縮できるとともに、架台からの太陽電池モジュールの脱落を防ぎ、安全に設置作業を行うことができる。
【００１７】
また、請求項１１に係る発明によれば、太陽電池モジュールの上に積もった雪が一気に滑り落ちずに雪止め部で堰き止められるため、不意な落雪による事故を防止することができるとともに、太陽電池モジュールの設置構造内への雪解け水の浸入を防止することができる。
【図面の簡単な説明】
【００１８】
【図１】太陽電池モジュールの設置構造に使用する太陽電池モジュール体の斜視図である。
【図２】図１のＡ−Ａ断面斜視図である。
【図３】縦フレーム部の斜視図である。
【図４】横フレーム部の上辺フレーム部の斜視図である。
【図５】横フレーム部の下辺フレーム部の斜視図である。
【図６】縦フレーム部と上辺フレーム部の連結状態を示す拡大斜視図である。
【図７】縦フレーム部と下辺フレーム部の連結状態を示す拡大斜視図である。
【図８】架台の斜視図である。
【図９−１】太陽電池モジュールの設置構造を軒側から見た断面図である。
【図９−２】太陽電池モジュールの設置構造を棟側から見た断面図である。
【図１０】上辺フレーム部と下辺フレーム部の連結状態を示す断面図である。
【図１１】太陽電池モジュールの設置構造の軒先部付近の構造を示す断面図である。
【図１２】太陽電池モジュールの設置構造の棟部付近の構造を示す断面図である。
【発明を実施するための形態】
【００１９】
以下、本発明を図１から図１２に従って説明する。尚、以下では本発明に係る実施態様を詳細に説明するが、本発明はこれに限定されるものではない。本発明に係る太陽電池モジュールの設置構造（以下「設置構造」という。）１は、屋根１００の屋根下地１０１上に縦フレーム部２、横フレーム部３及び架台４を介して太陽電池モジュール（以下「ＰＶモジュール」という。）５を設置する構造である。
【００２０】
図に示すＰＶモジュール５は、一般に使用されている単結晶シリコン系または多結晶シリコン系のＰＶモジュール５である。このＰＶモジュール５は、一対の短辺及び長辺を有する平面視略長方形状であって、薄板状に形成されている。そして、表面側９には太陽電池セルが配置され、裏面側１０には電極ボックスが配置されるとともに、その電極ボックスからは他のＰＶモジュール５と電気的に連結するための端子ケーブルが伸びている（図示せず）。
【００２１】
縦フレーム部２には、左辺フレーム部２ａと右辺フレーム部２ｂがある。この左辺フレーム部２ａ及び右辺フレーム部２ｂは、ＰＶモジュール５の左側及び右側の短辺の縁部１１ａをそれぞれ覆う部材である。
【００２２】
図３に示す左辺レーム部２ａは正面視略逆Ｌ字状であって、厚さの薄い鋼板またはアルミニウム合金で形成された棒状の金属製の部材であり、その長さはＰＶモジュール５の短辺とほぼ等しい長さである。そして、左辺フレーム部２ａは、基幹部１２と支持部１３とからなる。
【００２３】
基幹部１２は断面略縦長長方形状の筒状体であって、その基幹部１２の天井部１４の幅方向Ｂの左側Ｂ１には、以下で詳述する架台４に左辺フレーム部２ａを設置する際に、架台４と左辺フレーム部２ａの間に生じる摩擦を減少させるための浅い切欠き部１５が全長に亘って設けられている。
【００２４】
その基幹部１２の底面１６の左側Ｂ１の端部には、架台４に左辺フレーム部２ａを設置する際に、左辺フレーム部２ａが架台４から脱落するのを防止するための突起状の係止片１８が、全長に亘って設けられている。
【００２５】
また、基幹部１２の右側Ｂ２の側壁部１９ａの内面２０には、基幹部１２の内側に向けて開口する断面略Ｃ字状のタッピングホール２１がネジ受けとして上下に二つ設けられている。これにより、左辺フレーム部２ａの両端面２３，２３に、以下で詳述する横フレーム部３である上辺フレーム部３ａ及び下辺フレーム部３ｂをネジ２２により固定し連結することができる。
【００２６】
一方、基幹部１２の左側Ｂ１の側壁部１９ｂの表面２４には、架台４に左辺フレーム部２ａを設置する際に架台４と左辺フレーム部２ａの間に生じる摩擦を減少させるため、断面略半円形状の小さな突起部２５が全長に亘って等間隔に三本設けられている。尚、図３では突起部２５は三本であるが、それ以下またはそれ以上の本数を設けてもよい。
【００２７】
基幹部１２の右側Ｂ２の上端には支持部１３が設けられている。この支持部１３は、水平方向へ突出する薄板状の上部支持部１３ａ及び下部支持部１３ｂからなり、それらの間にはＰＶモジュール５を挿入し支持するための断面略コの字状の支持溝２９が形成されている。
【００２８】
この支持溝２９にシリコン等の接着材を流し込むとともに、ＰＶモジュール５の短辺の縁部１１ａを挿入することにより、ＰＶモジュール５の左側の短辺の縁部１１ａに左辺フレーム部２ａを固定することができる。尚、支持溝２９にシリコン等の接着剤を流し込んでいるため、支持溝２９内への雨水の浸入を防止することができる。
【００２９】
一方、ＰＶモジュール５の右側の短辺の縁部１１ａを挿入するための右辺フレーム部２ｂは、図３に示す左辺フレーム部２ａと左右対称の構造となっている以外は全て左辺フレーム部２ａと同じ構造である。そのため、以下では右辺フレーム部２ｂの部位の名称及び符号については、左辺フレーム部２ａの対応する部位の名称及び符号と同一のものを使用する。尚、右辺フレーム部２ｂの材質も左辺フレーム部２ａと同様に鋼板またはアルミニウム合金で形成されている。
【００３０】
横フレーム部３には、上辺フレーム部３ａと下辺フレーム部２ｂがある。その上辺フレーム部３ａと下辺フレーム部３ｂは、ＰＶモジュール５の上側及び下側の長辺の縁部１１ｂを覆う部材である。
【００３１】
図４及び図１０に示す上辺フレーム部３ａは、厚さの薄い鋼板またはアルミニウム合金で形成された棒状の金属製の部材であり、その長さはＰＶモジュール５の長辺よりもやや長く形成されている。３０は基幹部であり、断面略台形状の筒状体である。
【００３２】
基幹部３０の側壁部３１の上端は、天井部３２よりも上方に突出しており、その上端には薄板状の上板部３３が水平方向であって天井部３２側に延び、基幹部３０のほぼ全長に亘って設けられている。そのため、上板部３３と基幹部３０の天井部３２によって支持部が形成され、その上板部３３と基幹部３０の天井部３２との間にはＰＶモジュール５を挿入し支持するための断面略コの字状の支持溝３４が形成されている。
【００３３】
この支持溝３４にシリコン等の接着材を流し込むとともに、ＰＶモジュール５の長辺の縁部１１ｂを挿入することにより、ＰＶモジュール５の長辺の縁部１１ｂに上辺フレーム部３ａを固定することができる。尚、支持溝３４にはシリコン等の接着剤が流し込まれているため、支持溝３４内への雨水の浸入を防止することができる。
【００３４】
また、側壁部３１の上方において、天井部３２側とは反対側に平板状のリブ３５が設けられている。このリブ３５は水平方向に設けられているとともに、基幹部３０の全長に亘って設けられている。
【００３５】
そしてこのリブ３５は、以下で詳述する下辺フレーム部３ｂの挟持部３８に形成された挿入溝５２に挿入して嵌合させるものであるが、その挿入溝５２に挿入しやすくして上辺フレーム部３ａと下辺フレーム部３ｂの嵌合作業を容易にするため、リブ３５の先端部３６が断面略半円状に形成されている。尚、リブ３５の先端部３６の形状は、下辺フレーム部３ｂの挟持部３８の挿入溝５２に挿入しやすい形状であればよく、断面略三角形状に尖らせた形状であってもよい。
【００３６】
側壁部３１の中段やや下方には断面略Ｊ字状の雨樋部３９が設けられている。この雨樋部３９は、リブ３５と同じ側であって基幹部３０のほぼ全長に亘って設けられており、その先端部には側壁部３１と平行になるように折り曲げられた当接面４０が形成されている。また、雨樋部３９の折り曲げられた内側には、雨水を排水するための集水部４１が形成されている。
【００３７】
側壁部３１の下端には、断面略三角形状の縁部４２が設けられている。この縁部４２は、リブ３５と同じ側であって基幹部３０のほぼ全長に亘って設けられている。また、縁部４２には、屋根下地１０１上に設置された補助桟木１０４に上辺フレーム部３ａを固定するための円形状のネジ孔４３が二か所設けられている。このネジ孔４３は、底板部４４に対して斜めに形成されているため、ネジ孔４３へのネジの締め込みや釘の打ち込みの際にリブ３５や雨樋部３９が邪魔にならず、屋根下地１０１上の補助桟木１０４に固定しやすくなっている。
【００３８】
尚、この円形状のネジ孔４３の代わりに、縁部４２の先端に向けて開口する略Ｕ字状の切欠き部を設けてもよい（図示せず）。
【００３９】
側壁部３１の両端にはネジ孔３７が設けられており、このネジ孔３７を介してネジ２２を縦フレーム部２である左辺フレーム部２ａや右辺フレーム部２ｂのタッピングホール２１に螺合することで、上辺フレーム部３ａに左辺フレーム部２ａや右辺フレーム部２ｂを固定し連結することができる。
【００４０】
一方、図５及び図１０に示す下辺フレーム部３ｂは、厚さの薄い鋼板またはアルミニウム合金で形成された棒状の金属製の部材であり、その長さはＰＶモジュール５の長辺よりもやや長く形成されている。４５は基幹部であり、断面略台形状の筒状体である。
【００４１】
基幹部４５の側壁部４６の上端は、天井部４８より上方に突出しており、その上端には薄板状の上板部４９が水平方向であって天井部４８側に延び、基幹部４５のほぼ全長に亘って設けられている。そのため、上板部４９と基幹部４５の天井部４８によって支持部が形成され、その上板部４９と基幹部４５の天井部４８との間にはＰＶモジュール５を挿入し支持するための断面略コの字状の支持溝５０が形成されている。
【００４２】
この支持溝５０にシリコン等の接着材を流し込むとともに、ＰＶモジュール５の長辺の縁部１１ｂを挿入することにより、ＰＶモジュール５の長辺の縁部１１ｂに下辺フレーム部３ｂを固定することができる。尚、支持溝５０にはシリコン等の接着剤が流し込まれているため、支持溝５０内への雨水の浸入を防止することができる。
【００４３】
一方、側壁部４６の上方において、支持溝５０の開口する側とは反対側に開口する挟持部３８が基幹部４５のほぼ全長に亘って設けられている。この挟持部３８は、水平方向に延びる上方挟持部３８ａと下方挟持部３８ｂからなり、断面略コの字状の挿入溝５２が形成されている。この挿入溝５２には、上辺フレーム部３ａのリブ３５が挿入可能であり嵌合させることができる。
【００４４】
尚、本実施例では上辺フレーム部３ａにリブ３５が設けられ下辺フレーム部３ｂに挟持部３８が設けられているが、上辺フレーム部３ａに挟持部３８が設けられ下辺フレーム部３ｂにリブ３５が設けられていてもよい。
【００４５】
側壁部４６の両端にはネジ孔４７が設けられており、このネジ孔４７を介してネジ２２を縦フレーム部２である左辺フレーム部２ａや右辺フレーム部２ｂのタッピングホール２１に螺合することで、下辺フレーム部３ｂに左辺フレーム部２ａや右辺フレーム部２ｂを固定し連結することができる。
【００４６】
また、下辺フレーム部３ｂの上面５３には、断面略縦長長方形状の雪止め部５４が下辺フレーム部３ｂのほぼ全長に亘って側壁部４６に沿って設けられている。この雪止め部５４により、ＰＶモジュール５上に積もった雪が一気に滑り落ちずに堰き止められるため、ＰＶモジュール５上からの不意な落雪による事故を防止することができる。また、雪止め部５４によって雪解け水や雨水も堰き止められるため、挿入溝５２からの雪解け水等の浸入を防止することができる。
【００４７】
尚、本実施例では雪止め部５４は下辺フレーム部３ｂの上面５３に設けられているが、上辺フレーム部３ａの上面５６に設けられていてもよい。但し、図１０に示すように、上辺フレーム部３ａにリブ３５が設けられ下辺フレーム部３ｂに挟持部３８が設けられている場合には、上辺フレーム部３ａの上面５６に雪止め部５４を設けると、堰き止められた雪解け水等が上方挟持部３８ａ付近に溜まり、挿入溝５２から設置構造１内に侵入しやすくなるため、雪止め部５４を下辺フレーム部３ｂの上面５３に設ける事が望ましい。
【００４８】
上記構造により、上辺フレーム部３ａと下辺フレーム部３ｂが連結可能となっている。具体的には、図１０に示すように、下辺フレーム部３ｂの挟持部３８に形成された挿入溝５２に上辺フレーム部３ａのリブ３５を挿入して嵌合させるとともに、下辺フレーム部３ｂの上方挟持部３８ａ及び下方挟持部３８ｂの先端面５５，５５を上辺フレーム部３ａの側壁部３１に当接させることで、上辺フレーム部３ａと下辺フレーム部３ｂとの間に隙間が生じないように密着させながら連結する事が可能であり、風雨時であっても上辺フレーム部３ａのリブ３５と下辺フレーム部３ｂの挟持部３８に形成された挿入溝５２との隙間から雨水が侵入するのを防止することができる。尚、挿入溝５２の幅をリブ３５の厚さとほぼ同じにして隙間をなくすことで、雨水が浸入するのを更に防止することができる。
【００４９】
また、上記のように下辺フレーム部３ｂの上方挟持部３８ａ及び下方挟持部３８ｂの先端面５５，５５を上辺フレーム部３ａの側壁部３１に当接させると、上辺フレーム部３ａの断面略Ｊ字状の雨樋部３９の当接面４０も下辺フレーム部３ｂの側壁部４６に当接する構造になっている。そのため、仮に上辺フレーム部３ａのリブ３５と下辺フレーム部３ｂの挟持部３８に形成された挿入溝５２との隙間から雨水が侵入した場合であっても、その雨水は雨樋部３９の集水部４１に確実に流れ落ちるため、侵入した雨水を設置構造１の外に排水することが可能となっている。
【００５０】
また、上辺フレーム部３ａの雨樋部３９の当接面４０が下辺フレーム部３ｂの側壁部４６に当接することで、ＰＶモジュール５や縦フレーム部２や横フレーム部３の重量を、上辺フレーム部３ａのリブ３５やそのリブ３５と嵌合する下辺フレーム部３ｂの挟持部３８だけでなく雨樋部３９でも支えることとなる。そのため、ＰＶモジュール５等の重量負荷を、横フレーム部３のリブ３５や挟持部３８だけでなく雨樋部３９にも分散して支えることとなるため、リブ３５や挟持部３８に重量負荷が集中して変形してしまうのを防止することができる。尚、本実施例では雨樋部３９が上辺フレーム部３ａの側壁部３１の中段やや下方に設けられているが、下辺フレーム部３ｂの側壁部４６の中段やや下方に設けられていてもよい。
【００５１】
上辺フレーム部３ａと下辺フレーム部３ｂの連結時に、図１０に示すように、上辺フレーム部３ａの上面５６と下辺フレーム部３ｂの上面５３とが面一になることが望ましい。面一にして段差をなくすことで、風雨時に上辺フレーム部３ａの上面５６及び下辺フレーム部３ｂの上面５３に雨水が吹き寄せられても溜まる事がないため、上辺フレーム部３ａのリブ３５と下辺フレーム部３ｂの挟持部３８に形成された挿入溝５２との隙間から雨水が侵入するのを防止することができるとともに、意匠性の高い見た目の綺麗な設置構造１とすることができる。
【００５２】
また、上記構造により、縦フレーム部２と横フレーム部３の連結が可能となっている。具体的には、図６に示すように、上辺フレーム部３ａの両端付近においては上板部３３が設けられておらず、基幹部３０も側壁部３１のみであるため、平面部５８が形成されている。その平面部５８に、右辺フレーム部２ｂの端面２３を当接させてネジ孔３７を介してネジ２２を右辺フレーム部２ｂのタッピングホール２１に螺合することで右辺フレーム部２ｂと上辺フレーム部３ａとを連結することができる。
【００５３】
このとき、図９−１に示すように、上辺フレーム部３ａの上板部３３や基幹部３０を右辺フレーム部２ｂの支持部１３や基幹部１２にぴったりと密着させて隙間が無い状態とし、上辺フレーム部３ａの基幹部３０内や右辺フレーム部２ｂの基幹部１２内への雨水の浸入による腐食を防止している。
【００５４】
また、右辺フレーム部２ｂと上辺フレーム部３ａの連結時に、図６に示すように、右辺フレーム部２ｂの上面５９と上辺フレーム部３ａの上面５６とがほぼ同じ高さとなることが望ましい。ほぼ同じ高さにして段差をなるべくなくすことで、風雨時に右辺フレーム部２ｂの上面５９及び上辺フレーム部３ａの上面５６に雨水が吹き寄せられても溜まりにくくなるため、上辺フレーム部３ａと右辺フレーム部２ｂとの間から上辺フレーム部３ａの基幹部３０内や右辺フレーム部２ｂの基幹部１２内へ雨水が浸入するのを防止することができるとともに、意匠性の高い見た目の綺麗な設置構造１とすることができる。
【００５５】
尚、左辺フレーム部２ａについても右辺フレーム部２ｂの場合とほぼ同様にして上辺フレーム部３ａと連結することが可能である。
【００５６】
また、図７に示すように、下辺フレーム部３ｂについても両端付近においては上板部４９が設けられておらず、基幹部４５も側壁部４６のみであるため、平面部６０が形成されている。その平面部６０に、左辺フレーム部２ａの端面２３を当接させてネジ孔４７を介してネジ２２により左辺フレーム部２ｂのタッピングホール２１に螺合することで左辺フレーム部２ａと下辺フレーム部３ｂとを連結することができる。
【００５７】
このとき、図９−２に示すように、下辺フレーム部３ｂの上板部４９や基幹部４５を左辺フレーム部２ａの支持部１３や基幹部１２にぴったりと密着させて隙間が無い状態とし、下辺フレーム部３ｂの基幹部４５内や左辺フレーム部２ａの基幹部１２内への雨水の侵入による腐食を防止している。
【００５８】
また、左辺フレーム部２ａと下辺フレーム部３ｂの連結時に、図７に示すように、左辺フレーム部２ａの上面５９と下辺フレーム部３ｂの上面５３とがほぼ同じ高さとなることが望ましい。ほぼ同じ高さにして段差をなるべくなくすことで、風雨時に左辺フレーム部２ａの上面５９と下辺フレーム部３ｂの上面５３に雨水が吹き寄せられても溜まりにくくなるため、下辺フレーム部３ｂと左辺フレーム部２ａとの間から下辺フレーム部３ｂの基幹部４５内や左辺フレーム部２ａの基幹部１２内へ雨水が浸入するのを防止することができるとともに、意匠性の高い見た目の綺麗な設置構造１とすることができる。
【００５９】
尚、右辺フレーム部２ｂについても左辺フレーム部２ａの場合とほぼ同様にして下辺フレーム部３ｂと連結することができる。
【００６０】
上記のように、ＰＶモジュール５の四辺の縁部１１に縦フレーム部２及び横フレーム部３をシリコン等の接着剤で固定するとともに、縦フレーム部２と横フレーム部３をネジ２２により連結することで、図１及び図２に示すＰＶモジュール体５Ａを形成することができる。
【００６１】
図８に示す４は、ＰＶモジュール５を支える架台である。架台４は、土台部６１とフレーム支持部６２からなり、全体の形状が正面視略王字状で厚さの薄い鋼板またはアルミニウム合金で形成されている。そして、土台部６１は細長い略長方形状の底板部６３からなり、その底板部６３（土台部６１）上の幅方向Ｃの両端よりやや内寄りの位置において、断面略縦長長方形状の仕切り部６４が底板部６３（架台４）の全長に亘って垂直に設けられている。
【００６２】
この仕切り部６４とフレーム支持部６２の下端部との間には排水部６５が形成され、流れ込んできた雨水を本発明に係る設置構造１の外に排出する役割を果たす。
【００６３】
また、底板部６３（土台部６１）と仕切り部６４とによって形成される隅部の排水部６５側には、フレーム支持部６２側の斜め上方が欠けている断面略Ｃ字状のタッピングホール６６が架台４の全長に亘って設けられている。これにより、二つの架台４，４を一直線状に並べてそれぞれのタッピングホール６６に円柱状の細長いピン（図示せず）を差し込むことで、架台４を連続的に接ぐことができ、長さの長い架台４が必要な場合にも対応することができる。
【００６４】
また、底板部６３の幅方向Ｃの両端には、架台４を屋根１００の屋根下地１０１上に固定するためのネジ孔６８が仕切り部６４に沿って複数箇所に設けられている。
【００６５】
尚、図８等に示す架台４の底板部６３の裏面６９は平面であるが、底板部６３の長さ方向Ｆに連続する波状の凹凸を裏面６９全体に施してもよい。裏面６９を波状とすることで、毛細管現象によって底板部６３の裏面６９と屋根下地１０１との間に雨水が浸入するのを防止することができるとともに、底板部６３の裏面６９と屋根下地１０１との接触面積が小さくなり滑り摩擦も小さくなるため、屋根下地１０１上への架台４の設置労力を軽減することもできる。
【００６６】
フレーム支持部６２は、起立部７０とフランジ部７１からなり、そのフランジ部７１は上方フランジ部７１ａと下方フランジ部７１ｂの二つの部材からなる。そして、底板部６３上において幅方向Ｃの中央に起立部７０が垂直に設けられ、その上端部には上方フフランジ部７１ａが、下端部付近には下方フランジ部７１ｂがそれぞれ底板部６３と平行に設けられている。そのため、架台４の全長に亘って断面略コの字状のレール部７２が起立部７０の左右に形成されている。尚、図８では起立部７０は下端部付近以外において内部に空洞ができるように２枚の薄板で形成されているが、１枚の厚板で形成されていてもよい。
【００６７】
また、上方フランジ部７１ａ及び下方フランジ部７１ｂは、起立部７０から左右に均等な幅で突出するように設けられている。そして、左右の両下方フランジ部７１ｂの上面７８の端部には、上方へ突出する係止片７４が架台４の全長に亘って設けられている。
【００６８】
上記のような構成とすることで、架台４に形成されている左右のレール部７２に、縦フレーム部２を支持させてＰＶモジュール体５Ａを設置することが可能となる。具体的には、図９−１及び図９−２に示すように、ＰＶモジュール体５Ａの左辺フレーム部２ａ及び右辺フレーム部２ｂの切欠き部１５，１５を架台４の上方フランジ部７１ａ，７１ａに嵌合させながら基幹部１２，１２をレール部７２，７２に挿入することで、ＰＶモジュール体５Ａを架台４のレール部７２に支持させるとともに、レール部７２の所望の位置までスライドさせて設置することができる。
【００６９】
また、上記のように、ＰＶモジュール体５Ａの左辺フレーム部２ａ及び右辺フレーム部２ｂをレール部７２に支持させることで、上方フランジ部７１ａ及び下方フランジ部７１ｂによりＰＶモジュール体５Ａの上下方向への移動が抑制されるため、ＰＶモジュール体５Ａが強風により吹きあがるのを防止することができる。
【００７０】
また、架台４にＰＶモジュール体５Ａを設置する際に、ＰＶモジュール体５Ａが屋根１００上で桁行方向Ｄへずれようとする場合であっても、左辺フレーム部２ａ及び右辺フレーム部２ｂの係止片１８が下方フランジ部７１ｂの係止片７４に衝突するため、架台４からＰＶモジュール体５Ａが脱落するのを防止することができ、作業者が安全に設置作業を行うことが可能となる。
【００７１】
そして、縦フレーム部２の天井部１４に切欠き部１５が設けられているため、ＰＶモジュール体５Ａの縦フレーム部２（左辺フレーム部２ａ及び右辺フレーム２ｂ）を架台４のレール部７２に挿入したときに、縦フレーム部２の天井部１４と架台４の上方フランジ部７１ａとの間に隙間が形成され、ＰＶモジュール体５Ａをスライドさせる際の摩擦の軽減につながり、ＰＶモジュール５の設置作業の労力が軽減されるとともに作業者の屋根１００上での作業時間を短縮できるため、作業者の安全性を確保することができる。
【００７２】
上記のように摩擦を軽減するため、縦フレーム部２の基幹部１２の高さｈは、架台４の上方フランジ部７１ａと下方フランジ部７１ｂとの間の距離Ｈよりも約１ｍｍ〜５ｍｍ程度低い方が望ましい。また、縦フレーム部２の切欠き部１５の横幅ｗは、上方フランジ部７１ａの幅Ｗよりも約１ｍｍ〜５ｍｍ程度広い方が望ましい。
【００７３】
架台４の起立部７０の表面７５には、架台４の全長に亘って断面略半円形状の小さな突起部７６が間隔を開けて二本設けられている。起立部７０の表面７５は、架台４のレール部７２にＰＶモジュール体５Ａの縦フレーム部２を挿入したときに、縦フレーム部２の側壁部１９ｂの表面２４と対峙する面であるため、起立部７０の表面７５と縦フレーム部２の側壁部１９ｂの表面２４との接触面積を小さくするために突起部７６が設けられている。
【００７４】
このように接触面積を小さくすることで、ＰＶモジュール体５Ａの縦フレーム部２をレール部７２に挿入してスライドさせる際の架台４の起立部７０の表面７５と縦フレーム部２の側壁部１９ｂの表面２４との摩擦が軽減でき、ＰＶモジュール５の設置作業の労力が軽減されるとともに作業者の屋根上での作業時間を短縮できるため、作業者の安全性を確保することが出来る。
【００７５】
尚、図８等では突起部７６は二本設けられているが、一本でも三本以上であってもよい。また、突起部７６の位置については、架台４のレール部７２にＰＶモジュール体５Ａの縦フレーム部２を挿入したときに、縦フレーム部２に設けられた突起部２５の位置と重なる位置に設けないように注意を要する。
【００７６】
また、架台４の上方フランジ部７１ａの角部や縦フレーム部２の角部を曲面にすることによっても、上記スライド作業の際の摩擦の軽減につながり、設置作業の労力をより軽減することができる。
【００７７】
架台４の下方フランジ部７１ｂの上面７８の高さは、底板部６３の上面７９よりも５ｍｍ以上高いことが望ましい。上記の高さとすることで、架台４のレール部７２にＰＶモジュール体５Ａを設置したあとであっても底板部６３の上面７９付近や屋根下地１０１付近の通気性を確保できるため、屋根下地１０１の野地板１０３の腐食の原因となる湿気や、ＰＶモジュール５の発電効率を低下させる熱気が滞留するのを防止することができる。
【００７８】
また、図９−１及び図９−２に示すように、架台４のレール部７２にＰＶモジュール体５Ａの縦フレーム部２を挿入したときに、上辺フレーム部３ａの底板部４４及び下辺フレーム部３ｂの底板部５１が架台４の仕切り部６４に接触しないように、仕切り部６４の高さは少なくとも下方フランジ部７１ｂの係止片７４の高さよりも低くしなければならない。
【００７９】
尚、架台４の長さは数メートルあり、どこで切断しても同じ断面となるように形成されているため、現場で必要な長さに切断して使用することが可能である。
【００８０】
上記のような構成とすることで、架台４のレール部７２にＰＶモジュール体５Ａの縦フレーム部２を挿入したときに形成される縦フレーム部２の天井部１４と架台４の上方フランジ部７１ａとの間の隙間に雨水が吹き込んだ場合であっても、その雨水は架台４のレール部７２と縦フレーム部２の基幹部１２との隙間を通って下方フランジ部７１ｂの上面７８から土台部６１の排水部６５へと流れ落ちて架台４の下端部から外へ排出されるか、架台４のレール部７２と縦フレーム部２の基幹部１２との隙間をそのまま通って架台４の下端部から外に排出される。
【００８１】
また、縦フレーム部２の天井部１４と架台４の上方フランジ部７１ａとの間に形成される隙間からの雨水の浸入をなるべく阻止するため、縦フレーム部２の上部支持部１３ａの上面５９の高さと架台４の上方フランジ部７１ａの上面７７の高さをなるべく等しくすることが望ましい。
【００８２】
次に、本発明に係る設置構造１の屋根下地１０１上への設置手順について説明する。屋根１００には、一面に張られた野地板１０３の上にルーフィング等の防水シートが敷設された屋根下地１０１が形成されており、その上に架台４を設置する。このとき、架台４を軒棟方向Ｅに設置するとともに、軒先部１０６付近から棟部１１０付近にかけて設置し、底板部６３のネジ孔６８を介してネジ８０等で屋根下地１０１上に固定する。
【００８３】
そして、上記と同様にして屋根下地１０１上に架台４を等間隔かつ平行に複数本設置する。このときの架台４と架台４の距離は、横フレーム部３の長さよりもやや長めとし、屋根１００の桁行方向Ｄの幅一杯に設置する。
【００８４】
また、架台４にＰＶモジュール体５Ａを設置したときに、横フレーム部３が下方にたわむのを防止するとともにＰＶモジュール体５Ａを固定するための補助桟木１０４を、架台４と架台４の間において架台４と平行に設置するとともに軒先部１０６付近から棟部１１０付近にかけて設置し、釘１０５等により屋根下地１０１上に固定しておく。
【００８５】
そして、ＰＶモジュール５を用意し、その四辺に縦フレーム部２及び横フレーム部３を固定する。具体的には、上記のようにまず縦フレーム部２である左辺フレーム部２ａ及び右辺フレーム部２ｂの支持溝２９、並びに横フレーム部３である上辺フレーム部３ａの支持溝３４及び下辺フレーム部３ｂの支持溝５０にシリコン等の接着剤を流し込む。
【００８６】
そして、ＰＶモジュール５の短辺の縁部１１ａを左辺フレーム部２ａ及び右辺フレーム部２ｂの支持溝２９にそれぞれ挿入するとともに、長辺の縁部１１ｂを上辺フレーム部３ａの支持溝３４及び下辺フレーム部３ｂの支持溝５０にそれぞれ挿入することでＰＶモジュール５に固定する。そして、上記のようにネジ２２により縦フレーム部２と横フレーム部３とを連結することで、図１及び図２に示すＰＶモジュール体５Ａを形成する。
【００８７】
次に、屋根下地１０１上に設置された架台４に形成されたレール部７２の上端部８１において、図９−１及び図９−２に示すように、第一段目（最も軒先部１０６側）に設置するＰＶモジュール体５Ａの左辺フレーム部２ａ及び右辺フレーム部２ｂの切欠き部１５，１５を、隣り合う二つの架台４，４の上方フランジ部７１ａ，７１ａにそれぞれ嵌合させつつ、レール部７２，７２に左辺フレーム部２ａの基幹部１２と右辺フレーム部２ｂの基幹部１２を挿入することで、ＰＶモジュール体５Ａを架台４のレール部７２に支持させるとともに、軒先部１０６に向かってＰＶモジュール体５Ａをスライドさせ、レール部７２の下端部８２まで移動させる。
【００８８】
その後、図１１に示すように、レール部７２の下端部８２であって下方フランジ部７１ａの上面７８に設けられた係止ネジ８３に、ＰＶモジュール体５Ａの下辺フレーム部３ｂの側壁部４６を係止させるとともに、図１０に示すように、上辺フレーム部３ａの縁部４２のネジ孔４３を介して補助桟木１０４にＰＶモジュール体５Ａをネジ８４等で固定し設置する。
【００８９】
そして、上記のＰＶモジュール体５Ａを形成する作業及び架台４にＰＶモジュール体５Ａを設置する作業を繰り返し行い、隣り合う二つの架台４，４の間の全てにおいてＰＶモジュール体５Ａを設置することで第一段目のＰＶモジュール体５Ａの設置が完了するとともに、屋根１００の桁行方向ＤにＰＶモジュール５を連続して面一に設置することができる。
【００９０】
次に、第二段目のＰＶモジュール体５Ａを設置する。この場合も上記の第一段目の場合と同様に、ＰＶモジュール５の四辺に縦フレーム部２及び横フレーム部３を固定したＰＶモジュール体５Ａを形成し、その左辺フレーム部２ａの基幹部１２と右辺フレーム部２ｂの基幹部１２を、隣り合う二つの架台４，４のレール部７２，７２の上端部８１，８１から挿入し、レール部７２の下端部８２に向かってＰＶモジュール体５Ａをスライドさせて移動させる。
【００９１】
そして、第二段目のＰＶモジュール体５Ａを第一段目のＰＶモジュール体５Ａの直上まで移動させ、図１０に示すように、第一段目のＰＶモジュール体５Ａの上辺フレーム部３ａのリブ３５を第二段目のＰＶモジュール体５Ａの下辺フレーム部３ｂの挟持部３８の挿入溝５２に挿入して嵌合させるとともに、下辺フレーム部３ｂの上方挟持部３８ａ及び下方挟持部３８ｂの先端面５５，５５を上辺フレーム３ａの側壁部３１に当接させて、第一段目及び第二段目のＰＶモジュール体５Ａを連結する。
【００９２】
その後、第二段目のＰＶモジュール体５Ａの上辺フレーム部３ａの縁部４２のネジ孔４３を介して、補助桟木１０４にＰＶモジュール体５Ａをネジ８４等で固定し設置する。そして、上記のＰＶモジュール体５Ａを形成する作業及び架台４にＰＶモジュール体５Ａを設置する作業を繰り返し行い、隣り合う二つの架台４，４の間の全てにおいてＰＶモジュール体５Ａを設置することで、第二段目のＰＶモジュール体５Ａの設置が完了するとともに、屋根１００の桁行方向ＤにＰＶモジュール５を連続して面一に設置することができる。
【００９３】
また、第三段目以降のＰＶモジュール体５Ａを設置する場合も、上記の第二段目の場合と同様にＰＶモジュール体５Ａを形成する作業及び架台４にＰＶモジュール体５Ａを設置する作業を繰り返し行うことで、屋根１００の軒棟方向ＥにもＰＶモジュール５を連続して面一に設置することができ、意匠性の高い見た目の綺麗な設置構造１とすることができる。
【００９４】
そして、全てのＰＶモジュール体５Ａを設置してＰＶモジュール５の裏面側１０で端子ケーブルを接続した後、ＰＶモジュール体５Ａと屋根下地１０１との間に生じる隙間８６に雨水や埃等が侵入しないように、ＰＶモジュール体５Ａが設置されている架台４の周囲を屋根材等により覆う。
【００９５】
具体的には、屋根１００の軒先部１０６においては図１１に示すように、第一段目に設置されたＰＶモジュール体５Ａの下辺フレーム部３ｂの挿入溝５２に屋根材１０８の端部を挿入しつつシリコン等の接着剤８８で固定するとともに、屋根材１０８を折り曲げながら延設し外壁１０９まで覆う。こうすることで、軒先部１０６からの雨水や埃等の浸入を防止することができる。
【００９６】
また、屋根１００の棟部１１０においては図１２に示すように、喚起棟１１１から延びる屋根材１１２を延設し、最上段に設置されたＰＶモジュール体５Ａの上辺フレーム部３ａの上面５６が隠れるように覆う。こうすることで、棟部１１０からの雨水や埃等の浸入を防止することができる。
【００９７】
更に、屋根１００の両端の袖部においては、ケラバ包みを形成する屋根材を延設し、袖部の一番近くに設置された架台４の袖部側のレール部７２や排水部６５等が隠れるように覆うとともに、上記のように軒先部１０６及び棟部１１０に設けられた屋根材１０８，１１２の両端を覆って雨仕舞いを施すことにより、本発明に係る設置構造１が完成する（図示せず）。
【００９８】
尚、上記屋根材１０８，１１２等の材質は、耐久性が高く加工しやすいガルバリウム鋼板が望ましい。また、耐久性を高めるために屋根材の表面にフッ素樹脂を塗布するとなお望ましいが、これらに限定されるものではない。また、架台４の周囲を覆うのは必ずしも屋根材である必要は無く、屋根材とは別の金属製の薄板を使用してもよい。
【００９９】
上記の設置構造１によれば、設置構造１の内部への雨水や埃等の浸入を防止できるとともに、仮に雨水が内部に侵入した場合であっても設置構造１の外部に排水することができる。
【０１００】
具体的に説明すると、上辺フレーム３ａのリブ３５と下辺フレーム３ｂの挟持部３８に形成された挿入溝５２との隙間から雨水が侵入した場合は、その雨水は下方挟持部３８ｂの先端面５５を伝って雨樋部３９が形成する集水部４１に流れ落ちる（図１０参照）。そして、雨水は雨樋部３９の両端から架台４の土台部６１の排水部６５へと流れ落ち（図９−１参照）、その後、排水部６５の下端部から屋根下地１０１の防水シート１０２上に流れ落ち、最後は軒先部１０６から地面へと流れ落ちる（図１１参照）。
【０１０１】
また、架台４の上方フランジ部７１ａと縦フレーム部２の天井部１４との間に形成される隙間に雨水が吹き込んだ場合は、その雨水は架台４のレール部７２と縦フレーム部２の基幹部１２との隙間を通って下方フランジ部７１ｂの上面７８から土台部６１の排水部６５へと流れ落ちて排水部６５の下端部から架台４の外に排出されるか、架台４のレール部７２と縦フレーム部２の基幹部１２との隙間をそのまま通ってレール部７２の下端部８２から架台４の外に排出される（図９−１及び図９−２参照）。そして、雨水は屋根下地１０１の防水シート１０２上に流れ落ち、最後は軒先部１０６から地面へと流れ落ちる（図１１参照）。
【０１０２】
また、本発明に係る設置構造１は上記のように防水性を有するため、屋根材としての役割も果たす。そのため、本発明に係る設置構造１は屋根材を必要とせず、屋根１００にＰＶモジュール５を設置する際のコストの削減を図ることができる。
【０１０３】
また、上記のように、本発明に係る設置構造１の屋根下地１０１上への設置作業が非常に容易であるため、作業者のＰＶモジュール５の設置作業の労力が軽減されるとともに、作業者の屋根１００上での作業時間を短縮できるため作業者の安全性が確保できる。
【０１０４】
尚、本発明に係る設置構造１は、屋根１００の勾配角度に関わらず屋根下地１０１上にＰＶモジュール５を設置することができる。そのため、屋根１００の角度が地面に対し水平であっても垂直であっても、屋根下地１０１上にＰＶモジュール５を設置することができる。
【符号の説明】
【０１０５】
１    設置構造              ６０    平面部
２    縦フレーム部          ６１    土台部
３    横フレーム部          ６２    フレーム支持部
４    架台                  ６３    底板部
５    ＰＶモジュール        ６４    仕切り部
５Ａ  ＰＶモジュール体      ６５    排水部
９    表面側                ６６    タッピングホール
１０  裏面側                ６８    ネジ孔
１２  基幹部                ７０    起立部
１３  支持部                ７１    フランジ部
１４  天井部                ７２    レール部
１５  切欠き部              ７４    係止片
１８  係止片                ７６    突起部
１９  側壁部                ８０    ネジ
２１  タッピングホール      ８１    上端部
２２  ネジ                  ８２    下端部
２５  突起部                ８３    係止ネジ
２９  支持溝                ８４    ネジ
３０  基幹部                ８６    隙間
３１  側壁部                １００  屋根
３２  天井部                １０１  屋根下地
３３  上板部                １０２  防水シート
３４  支持溝                １０３  野地板
３５  リブ                  １０４  補助桟木
３７  ネジ孔                １０５  ネジ
３８  挟持部                １０６  軒先部
３９  雨樋部                １０８  屋根材
４１  集水部                １０９  外壁
４２  縁部                  １１０  棟部
４３  ネジ孔                １１１  喚起棟
４４  底板部                １１２  屋根材
４５  基幹部                Ｗ，ｗ  幅
４６  側壁部                Ｈ，ｈ  高さ
４７  ネジ孔                Ａ      断面
４８  天井部                Ｂ      幅方向
４９  上板部                Ｃ      幅方向
５０  支持溝                Ｄ      桁行方向
５１  底板部                Ｅ      軒棟方向
５２  挿入溝                Ｆ      長さ方向
５４  雪止め部
５８  平面部
【手続補正書】
【提出日】平成26年8月25日(2014.8.25)
【手続補正１】
【補正対象書類名】特許請求の範囲
【補正対象項目名】全文
【補正方法】変更
【補正の内容】
【特許請求の範囲】
【請求項１】
屋根下地上に太陽電池モジュールを設置するための設置構造であって、太陽電池モジュールと縦フレーム部と横フレーム部と架台からなり、前記縦フレーム部及び前記横フレーム部は細長い基幹部と該基幹部の上方に設けられた支持部からなり、前記架台は、長手方向に排水部が形成された長さの長い土台部と、該土台部の中央に立設され全長に亘って設けられた左右に開口する大きさの等しい二つの断面略コの字状のレール部を有するフレーム支持部からなるとともに、前記レール部が前記排水部の上方に配置され、前記太陽電池モジュールの短辺及び長辺の縁部が前記縦フレーム部の前記支持部及び前記横フレーム部の前記支持部に支持されるとともに固定されて太陽電池モジュール体が形成され、前記屋根下地上の軒棟方向に互いに平行に設置された複数本の前記架台の前記レール部の上端部から前記太陽電池モジュール体の二つの前記縦フレーム部の前記基幹部を挿入してスライドさせることで前記基幹部が前記レール部の所定の位置に支持され、複数本の前記架台の間に複数の前記太陽電池モジュール体が設置されていることを特徴とする太陽電池モジュールの設置構造。
【請求項２】
前記横フレーム部を構成する上辺フレーム部及び下辺フレーム部のいずれか一方にはリブが設けられ、他方には該リブと嵌合する挟持部が設けられていることを特徴する請求項１記載の太陽電池モジュールの設置構造。
【請求項３】
前記屋根下地上に設置された前記架台及び該架台に設置された前記太陽電池モジュール体の周囲の全部または一部が屋根材等により覆われていることを特徴とする請求項１または請求項２記載の太陽電池モジュールの設置構造。
【請求項４】
前記架台の前記土台部の幅方向の両端付近に仕切り部が設けられ、該仕切り部と前記フレーム支持部とで前記架台の全長に亘って前記排水部が形成されていることを特徴とする請求項１ないし請求項３のいずれかの項に記載の太陽電池モジュールの設置構造。
【請求項５】
前記上辺フレーム部または前記下辺フレーム部の前記基幹部に、該基幹部に沿って雨樋部が設けられていることを特徴とする請求項１ないし請求項４のいずれかの項に記載の太陽電池モジュールの設置構造。
【請求項６】
前記架台の起立部の表面とこれに対峙する前記縦フレーム部の前記基幹部の側壁部のいずれか一方または両方に突起部が設けられていることを特徴とする請求項１ないし請求項５のいずれかの項に記載の太陽電池モジュールの設置構造。
【請求項７】
前記縦フレーム部の底面及び前記架台の下方フランジ部の上面に係止片が設けられていることを特徴とする請求項１ないし請求項６のいずれかの項に記載の太陽電池モジュールの設置構造。
【請求項８】
前記横フレーム部の前記リブの先端部が断面略半円状または断面略三角形状であることを特徴とする請求項１ないし請求項７のいずれかの項に記載の太陽電池モジュールの設置構造。
【請求項９】
前記縦フレーム部の前記基幹部の天井部に、前記架台の前記フレーム支持部の上方フランジ部と嵌合する切欠き部が形成されていることを特徴とする請求項１ないし請求項８のいずれかの項に記載の太陽電池モジュールの設置構造。
【請求項１０】
前記架台の底板部の裏面が波状面であることを特徴とする請求項１ないし請求項９のいずれかの項に記載の太陽電池モジュールの設置構造。
【請求項１１】
前記上辺フレーム部の上面または前記下辺フレーム部の上面に雪止め部が設けられていることを特徴とする請求項１ないし請求項１０のいずれかの項に記載の太陽電池モジュールの設置構造。
【手続補正２】
【補正対象書類名】明細書
【補正対象項目名】全文
【補正方法】変更
【補正の内容】
【発明の詳細な説明】
【技術分野】
【０００１】
本発明は、太陽電池モジュールの設置構造、詳しくは屋根下地上への太陽電池モジュールの設置が容易である太陽電池モジュールの設置構造に関する。
【背景技術】
【０００２】
近年、地球環境に配慮したクリーンエネルギーである太陽光を利用して発電を行い、二酸化炭素（ＣＯ2)の排出量を減らそうとするエコの意識が世の中では高まってきている。そのため、自宅の屋根に太陽光で発電する太陽電池モジュールを設置し、調理、給湯、空調などのシステムをすべて電気でまかなう家庭も年々増加している。
【０００３】
住宅の屋根に太陽電池モジュールを設置する方法としては、屋根材の上に固定された架台等の取付金具によって太陽電池モジュールを支持しながら設置するいわゆる屋根置き型の設置方法や、屋根材であるベース材上に太陽電池モジュールが固定部材を介して固定された太陽電池モジュール一体型屋根材を用いて屋根を葺きながら設置する方法等が知られている。
【先行技術文献】
【特許文献】
【０００４】
【特許文献１】特開２００６−３２８８８７号公報
【特許文献２】特開２００７−２２４５３８号公報
【特許文献３】特開２００７−２３１５３９号公報
【０００５】
しかし、屋根材の上に固定された架台等の取付金具によって太陽電池モジュールを支持しながら設置する従来の方法は、まず屋根材の上に多くの架台等の取付金具をネジ等により固定しなければならないため、太陽電池モジュールの取付作業に多くの時間を必要とする。また、上記方法は屋根材にネジ孔を開けるため、そのネジ孔から雨水が浸入する可能性があり、雨漏りや野地板の腐食の原因となっている。また、架台等の取付金具や太陽電池モジュールの重さによって屋根材を傷め易いという欠点があるとともに、取付金具の部品数が多いためコストが高くなるという欠点もある。
【０００６】
一方、太陽電池モジュールが固定された太陽電池モジュール一体型屋根材を用いて屋根を葺きながら設置する従来の方法は、まずベース材上に固定部材を介して太陽電池モジュールを取付けて太陽電池モジュール一体型屋根材を作成する必要があり、太陽電池モジュール一体型屋根材を設置する前段階の作業が煩雑であるとともに多くの時間を要する。
【０００７】
また、太陽電池モジュール一体型屋根材は、屋根材に孔を開けてその孔に太陽電池モジュールから伸びるケーブルを通し、屋根材の裏面側で他の屋根材の太陽電池モジュールと電気的に接続する構造であるため、屋根材に開けた孔から雨水が浸入する可能性があり、雨漏りや野地板の腐食の原因となっている。
【０００８】
更に、屋根材の平均寿命が太陽電池の平均寿命よりもかなり短いため、太陽電池モジュール一体型屋根材の場合は屋根材の交換時期が先に来るが、屋根材だけでなく太陽電池モジュール一体型屋根材全体を交換しなければならず、費用が割高になってしまうという欠点もある。
【発明の概要】
【発明が解決しようとする課題】
【０００９】
そこで本発明は、上記のような従来の欠点を解消するものであり、屋根下地上への太陽電池モジュールの設置が容易であり、屋根材と同様の防水性及び排水性を有するとともに軽量でコストが安く意匠性の高い太陽電池モジュールの設置構造を提供することを目的とする。
【課題を解決するための手段】
【００１０】
上記の目的を達成するため、本発明の請求項１に係る発明は、屋根下地上に太陽電池モジュールを設置するための設置構造であって、太陽電池モジュールと縦フレーム部と横フレーム部と架台からなり、前記縦フレーム部及び前記横フレーム部は細長い基幹部と該基幹部の上方に設けられた支持部からなり、前記架台は、長手方向に排水部が形成された長さの長い土台部と、該土台部の中央に立設され全長に亘って設けられた左右に開口する大きさの等しい二つの断面略コの字状のレール部を有するフレーム支持部からなるとともに、前記レール部が前記排水部の上方に配置され、前記太陽電池モジュールの短辺及び長辺の縁部が前記縦フレーム部の前記支持部及び前記横フレーム部の前記支持部に支持されるとともに固定されて太陽電池モジュール体が形成され、前記屋根下地上の軒棟方向に互いに平行に設置された複数本の前記架台の前記レール部の上端部から前記太陽電池モジュール体の二つの前記縦フレーム部の前記基幹部を挿入してスライドさせることで前記基幹部が前記レール部の所定の位置に支持され、複数本の前記架台の間に複数の前記太陽電池モジュール体が設置されていることを特徴とする。
【００１１】
また、請求項２に係る発明は、前記横フレーム部を構成する上辺フレーム部及び下辺フレーム部のいずれか一方にはリブが設けられ、他方には該リブと嵌合する挟持部が設けられていることを特徴する。また、本願の請求項３に係る発明は、前記屋根下地上に設置された前記架台及び該架台に設置された前記太陽電池モジュール体の周囲の全部または一部が屋根材等により覆われていることを特徴とする。また、請求項４に係る発明は、前記架台の前記土台部の幅方向の両端付近に仕切り部が設けられ、該仕切り部と前記フレーム支持部とで前記架台の全長に亘って前記排水部が形成されていることを特徴とする。また、請求項５に係る発明は、前記上辺フレーム部または前記下辺フレーム部の前記基幹部に、該基幹部に沿って雨樋部が設けられていることを特徴とする。
【００１２】
また、請求項６に係る発明は、前記架台の起立部の表面とこれに対峙する前記縦フレーム部の前記基幹部の側壁部のいずれか一方または両方に突起部が設けられていることを特徴とする。また、請求項７に係る発明は、前記縦フレーム部の底面及び前記架台の下方フランジ部の上面に係止片が設けられていることを特徴とする。また、請求項８に係る発明は、前記横フレーム部の前記リブの先端部が断面略半円状または断面略三角形状であることを特徴とする。また、請求項９に係る発明は、前記縦フレーム部の前記基幹部の天井部に、前記架台の前記フレーム支持部の上方フランジ部と嵌合する切欠き部が形成されていることを特徴とする。また、請求項１０に係る発明は、前記架台の底板部の裏面が波状面であることを特徴とする。
【００１３】
また、請求項１１に係る発明は、前記上辺フレーム部の上面または前記下辺フレーム部の上面に雪止め部が設けられていることを特徴とする。
【発明の効果】
【００１４】
上記より、請求項１に係る発明によれば、屋根下地上に太陽電池モジュールを容易に設置することができるとともに、それにより作業者の屋根上での作業時間を短縮できるため、作業者の安全性を確保することができる。また、排水性を有するとともに意匠性の高い太陽電池モジュールの設置構造を提供することができる。
【００１５】
また、請求項２ないし請求項５に係る発明によれば、太陽電池モジュールの設置構造全体が防水性及び排水性を有するため屋根下地上に屋根材を葺く必要がなくなり、新築住宅等への太陽電池モジュールの設置コストを削減することができるとともに、屋根下地上への重量の負担を軽減することができる。また、屋根下地上に屋根材を葺く必要がないため、作業者の屋根上での作業時間を短縮でき、作業者の安全性を確保することができる。
【００１６】
また、請求項６ないし請求項１０に係る発明によれば、太陽電池モジュールの設置作業が更に容易になり、作業時間を更に短縮できるとともに、架台からの太陽電池モジュールの脱落を防ぎ、安全に設置作業を行うことができる。
【００１７】
また、請求項１１に係る発明によれば、太陽電池モジュールの上に積もった雪が一気に滑り落ちずに雪止め部で堰き止められるため、不意な落雪による事故を防止することができるとともに、太陽電池モジュールの設置構造内への雪解け水の浸入を防止することができる。
【図面の簡単な説明】
【００１８】
【図１】太陽電池モジュールの設置構造に使用する太陽電池モジュール体の斜視図である。
【図２】図１のＡ−Ａ断面斜視図である。
【図３】縦フレーム部の斜視図である。
【図４】横フレーム部の上辺フレーム部の斜視図である。
【図５】横フレーム部の下辺フレーム部の斜視図である。
【図６】縦フレーム部と上辺フレーム部の連結状態を示す拡大斜視図である。
【図７】縦フレーム部と下辺フレーム部の連結状態を示す拡大斜視図である。
【図８】架台の斜視図である。
【図９−１】太陽電池モジュールの設置構造を軒側から見た断面図である。
【図９−２】太陽電池モジュールの設置構造を棟側から見た断面図である。
【図１０】上辺フレーム部と下辺フレーム部の連結状態を示す断面図である。
【図１１】太陽電池モジュールの設置構造の軒先部付近の構造を示す断面図である。
【図１２】太陽電池モジュールの設置構造の棟部付近の構造を示す断面図である。
【発明を実施するための形態】
【００１９】
以下、本発明を図１から図１２に従って説明する。尚、以下では本発明に係る実施態様を詳細に説明するが、本発明はこれに限定されるものではない。本発明に係る太陽電池モジュールの設置構造（以下「設置構造」という。）１は、屋根１００の屋根下地１０１上に縦フレーム部２、横フレーム部３及び架台４を介して太陽電池モジュール（以下「ＰＶモジュール」という。）５を設置する構造である。
【００２０】
図に示すＰＶモジュール５は、一般に使用されている単結晶シリコン系または多結晶シリコン系のＰＶモジュール５である。このＰＶモジュール５は、一対の短辺及び長辺を有する平面視略長方形状であって、薄板状に形成されている。そして、表面側９には太陽電池セルが配置され、裏面側１０には電極ボックスが配置されるとともに、その電極ボックスからは他のＰＶモジュール５と電気的に連結するための端子ケーブルが伸びている（図示せず）。
【００２１】
縦フレーム部２には、左辺フレーム部２ａと右辺フレーム部２ｂがある。この左辺フレーム部２ａ及び右辺フレーム部２ｂは、ＰＶモジュール５の左側及び右側の短辺の縁部１１ａをそれぞれ覆う部材である。
【００２２】
図３に示す左辺レーム部２ａは正面視略逆Ｌ字状であって、厚さの薄い鋼板またはアルミニウム合金で形成された棒状の金属製の部材であり、その長さはＰＶモジュール５の短辺とほぼ等しい長さである。そして、左辺フレーム部２ａは、基幹部１２と支持部１３とからなる。
【００２３】
基幹部１２は断面略縦長長方形状の筒状体であって、その基幹部１２の天井部１４の幅方向Ｂの左側Ｂ１には、以下で詳述する架台４に左辺フレーム部２ａを設置する際に、架台４と左辺フレーム部２ａの間に生じる摩擦を減少させるための浅い切欠き部１５が全長に亘って設けられている。
【００２４】
その基幹部１２の底面１６の左側Ｂ１の端部には、架台４に左辺フレーム部２ａを設置する際に、左辺フレーム部２ａが架台４から脱落するのを防止するための突起状の係止片１８が、全長に亘って設けられている。
【００２５】
また、基幹部１２の右側Ｂ２の側壁部１９ａの内面２０には、基幹部１２の内側に向けて開口する断面略Ｃ字状のタッピングホール２１がネジ受けとして上下に二つ設けられている。これにより、左辺フレーム部２ａの両端面２３，２３に、以下で詳述する横フレーム部３である上辺フレーム部３ａ及び下辺フレーム部３ｂをネジ２２により固定し連結することができる。
【００２６】
一方、基幹部１２の左側Ｂ１の側壁部１９ｂの表面２４には、架台４に左辺フレーム部２ａを設置する際に架台４と左辺フレーム部２ａの間に生じる摩擦を減少させるため、断面略半円形状の小さな突起部２５が全長に亘って等間隔に三本設けられている。尚、図３では突起部２５は三本であるが、それ以下またはそれ以上の本数を設けてもよい。
【００２７】
基幹部１２の右側Ｂ２の上端には支持部１３が設けられている。この支持部１３は、水平方向へ突出する薄板状の上部支持部１３ａ及び下部支持部１３ｂからなり、それらの間にはＰＶモジュール５を挿入し支持するための断面略コの字状の支持溝２９が形成されている。
【００２８】
この支持溝２９にシリコン等の接着材を流し込むとともに、ＰＶモジュール５の短辺の縁部１１ａを挿入することにより、ＰＶモジュール５の左側の短辺の縁部１１ａに左辺フレーム部２ａを固定することができる。尚、支持溝２９にシリコン等の接着剤を流し込んでいるため、支持溝２９内への雨水の浸入を防止することができる。
【００２９】
一方、ＰＶモジュール５の右側の短辺の縁部１１ａを挿入するための右辺フレーム部２ｂは、図３に示す左辺フレーム部２ａと左右対称の構造となっている以外は全て左辺フレーム部２ａと同じ構造である。そのため、以下では右辺フレーム部２ｂの部位の名称及び符号については、左辺フレーム部２ａの対応する部位の名称及び符号と同一のものを使用する。尚、右辺フレーム部２ｂの材質も左辺フレーム部２ａと同様に鋼板またはアルミニウム合金で形成されている。
【００３０】
横フレーム部３には、上辺フレーム部３ａと下辺フレーム部２ｂがある。その上辺フレーム部３ａと下辺フレーム部３ｂは、ＰＶモジュール５の上側及び下側の長辺の縁部１１ｂを覆う部材である。
【００３１】
図４及び図１０に示す上辺フレーム部３ａは、厚さの薄い鋼板またはアルミニウム合金で形成された棒状の金属製の部材であり、その長さはＰＶモジュール５の長辺よりもやや長く形成されている。３０は基幹部であり、断面略台形状の筒状体である。
【００３２】
基幹部３０の側壁部３１の上端は、天井部３２よりも上方に突出しており、その上端には薄板状の上板部３３が水平方向であって天井部３２側に延び、基幹部３０のほぼ全長に亘って設けられている。そのため、上板部３３と基幹部３０の天井部３２によって支持部が形成され、その上板部３３と基幹部３０の天井部３２との間にはＰＶモジュール５を挿入し支持するための断面略コの字状の支持溝３４が形成されている。
【００３３】
この支持溝３４にシリコン等の接着材を流し込むとともに、ＰＶモジュール５の長辺の縁部１１ｂを挿入することにより、ＰＶモジュール５の長辺の縁部１１ｂに上辺フレーム部３ａを固定することができる。尚、支持溝３４にはシリコン等の接着剤が流し込まれているため、支持溝３４内への雨水の浸入を防止することができる。
【００３４】
また、側壁部３１の上方において、天井部３２側とは反対側に平板状のリブ３５が設けられている。このリブ３５は水平方向に設けられているとともに、基幹部３０の全長に亘って設けられている。
【００３５】
そしてこのリブ３５は、以下で詳述する下辺フレーム部３ｂの挟持部３８に形成された挿入溝５２に挿入して嵌合させるものであるが、その挿入溝５２に挿入しやすくして上辺フレーム部３ａと下辺フレーム部３ｂの嵌合作業を容易にするため、リブ３５の先端部３６が断面略半円状に形成されている。尚、リブ３５の先端部３６の形状は、下辺フレーム部３ｂの挟持部３８の挿入溝５２に挿入しやすい形状であればよく、断面略三角形状に尖らせた形状であってもよい。
【００３６】
側壁部３１の中段やや下方には断面略Ｊ字状の雨樋部３９が設けられている。この雨樋部３９は、リブ３５と同じ側であって基幹部３０のほぼ全長に亘って設けられており、その先端部には側壁部３１と平行になるように折り曲げられた当接面４０が形成されている。また、雨樋部３９の折り曲げられた内側には、雨水を排水するための集水部４１が形成されている。
【００３７】
側壁部３１の下端には、断面略三角形状の縁部４２が設けられている。この縁部４２は、リブ３５と同じ側であって基幹部３０のほぼ全長に亘って設けられている。また、縁部４２には、屋根下地１０１上に設置された補助桟木１０４に上辺フレーム部３ａを固定するための円形状のネジ孔４３が二か所設けられている。このネジ孔４３は、底板部４４に対して斜めに形成されているため、ネジ孔４３へのネジの締め込みや釘の打ち込みの際にリブ３５や雨樋部３９が邪魔にならず、屋根下地１０１上の補助桟木１０４に固定しやすくなっている。
【００３８】
尚、この円形状のネジ孔４３の代わりに、縁部４２の先端に向けて開口する略Ｕ字状の切欠き部を設けてもよい（図示せず）。
【００３９】
側壁部３１の両端にはネジ孔３７が設けられており、このネジ孔３７を介してネジ２２を縦フレーム部２である左辺フレーム部２ａや右辺フレーム部２ｂのタッピングホール２１に螺合することで、上辺フレーム部３ａに左辺フレーム部２ａや右辺フレーム部２ｂを固定し連結することができる。
【００４０】
一方、図５及び図１０に示す下辺フレーム部３ｂは、厚さの薄い鋼板またはアルミニウム合金で形成された棒状の金属製の部材であり、その長さはＰＶモジュール５の長辺よりもやや長く形成されている。４５は基幹部であり、断面略台形状の筒状体である。
【００４１】
基幹部４５の側壁部４６の上端は、天井部４８より上方に突出しており、その上端には薄板状の上板部４９が水平方向であって天井部４８側に延び、基幹部４５のほぼ全長に亘って設けられている。そのため、上板部４９と基幹部４５の天井部４８によって支持部が形成され、その上板部４９と基幹部４５の天井部４８との間にはＰＶモジュール５を挿入し支持するための断面略コの字状の支持溝５０が形成されている。
【００４２】
この支持溝５０にシリコン等の接着材を流し込むとともに、ＰＶモジュール５の長辺の縁部１１ｂを挿入することにより、ＰＶモジュール５の長辺の縁部１１ｂに下辺フレーム部３ｂを固定することができる。尚、支持溝５０にはシリコン等の接着剤が流し込まれているため、支持溝５０内への雨水の浸入を防止することができる。
【００４３】
一方、側壁部４６の上方において、支持溝５０の開口する側とは反対側に開口する挟持部３８が基幹部４５のほぼ全長に亘って設けられている。この挟持部３８は、水平方向に延びる上方挟持部３８ａと下方挟持部３８ｂからなり、断面略コの字状の挿入溝５２が形成されている。この挿入溝５２には、上辺フレーム部３ａのリブ３５が挿入可能であり嵌合させることができる。
【００４４】
尚、本実施例では上辺フレーム部３ａにリブ３５が設けられ下辺フレーム部３ｂに挟持部３８が設けられているが、上辺フレーム部３ａに挟持部３８が設けられ下辺フレーム部３ｂにリブ３５が設けられていてもよい。
【００４５】
側壁部４６の両端にはネジ孔４７が設けられており、このネジ孔４７を介してネジ２２を縦フレーム部２である左辺フレーム部２ａや右辺フレーム部２ｂのタッピングホール２１に螺合することで、下辺フレーム部３ｂに左辺フレーム部２ａや右辺フレーム部２ｂを固定し連結することができる。
【００４６】
また、下辺フレーム部３ｂの上面５３には、断面略縦長長方形状の雪止め部５４が下辺フレーム部３ｂのほぼ全長に亘って側壁部４６に沿って設けられている。この雪止め部５４により、ＰＶモジュール５上に積もった雪が一気に滑り落ちずに堰き止められるため、ＰＶモジュール５上からの不意な落雪による事故を防止することができる。また、雪止め部５４によって雪解け水や雨水も堰き止められるため、挿入溝５２からの雪解け水等の浸入を防止することができる。
【００４７】
尚、本実施例では雪止め部５４は下辺フレーム部３ｂの上面５３に設けられているが、上辺フレーム部３ａの上面５６に設けられていてもよい。但し、図１０に示すように、上辺フレーム部３ａにリブ３５が設けられ下辺フレーム部３ｂに挟持部３８が設けられている場合には、上辺フレーム部３ａの上面５６に雪止め部５４を設けると、堰き止められた雪解け水等が上方挟持部３８ａ付近に溜まり、挿入溝５２から設置構造１内に侵入しやすくなるため、雪止め部５４を下辺フレーム部３ｂの上面５３に設ける事が望ましい。
【００４８】
上記構造により、上辺フレーム部３ａと下辺フレーム部３ｂが連結可能となっている。具体的には、図１０に示すように、下辺フレーム部３ｂの挟持部３８に形成された挿入溝５２に上辺フレーム部３ａのリブ３５を挿入して嵌合させるとともに、下辺フレーム部３ｂの上方挟持部３８ａ及び下方挟持部３８ｂの先端面５５，５５を上辺フレーム部３ａの側壁部３１に当接させることで、上辺フレーム部３ａと下辺フレーム部３ｂとの間に隙間が生じないように密着させながら連結する事が可能であり、風雨時であっても上辺フレーム部３ａのリブ３５と下辺フレーム部３ｂの挟持部３８に形成された挿入溝５２との隙間から雨水が侵入するのを防止することができる。尚、挿入溝５２の幅をリブ３５の厚さとほぼ同じにして隙間をなくすことで、雨水が浸入するのを更に防止することができる。
【００４９】
また、上記のように下辺フレーム部３ｂの上方挟持部３８ａ及び下方挟持部３８ｂの先端面５５，５５を上辺フレーム部３ａの側壁部３１に当接させると、上辺フレーム部３ａの断面略Ｊ字状の雨樋部３９の当接面４０も下辺フレーム部３ｂの側壁部４６に当接する構造になっている。そのため、仮に上辺フレーム部３ａのリブ３５と下辺フレーム部３ｂの挟持部３８に形成された挿入溝５２との隙間から雨水が侵入した場合であっても、その雨水は雨樋部３９の集水部４１に確実に流れ落ちるため、侵入した雨水を設置構造１の外に排水することが可能となっている。
【００５０】
また、上辺フレーム部３ａの雨樋部３９の当接面４０が下辺フレーム部３ｂの側壁部４６に当接することで、ＰＶモジュール５や縦フレーム部２や横フレーム部３の重量を、上辺フレーム部３ａのリブ３５やそのリブ３５と嵌合する下辺フレーム部３ｂの挟持部３８だけでなく雨樋部３９でも支えることとなる。そのため、ＰＶモジュール５等の重量負荷を、横フレーム部３のリブ３５や挟持部３８だけでなく雨樋部３９にも分散して支えることとなるため、リブ３５や挟持部３８に重量負荷が集中して変形してしまうのを防止することができる。尚、本実施例では雨樋部３９が上辺フレーム部３ａの側壁部３１の中段やや下方に設けられているが、下辺フレーム部３ｂの側壁部４６の中段やや下方に設けられていてもよい。
【００５１】
上辺フレーム部３ａと下辺フレーム部３ｂの連結時に、図１０に示すように、上辺フレーム部３ａの上面５６と下辺フレーム部３ｂの上面５３とが面一になることが望ましい。面一にして段差をなくすことで、風雨時に上辺フレーム部３ａの上面５６及び下辺フレーム部３ｂの上面５３に雨水が吹き寄せられても溜まる事がないため、上辺フレーム部３ａのリブ３５と下辺フレーム部３ｂの挟持部３８に形成された挿入溝５２との隙間から雨水が侵入するのを防止することができるとともに、意匠性の高い見た目の綺麗な設置構造１とすることができる。
【００５２】
また、上記構造により、縦フレーム部２と横フレーム部３の連結が可能となっている。具体的には、図６に示すように、上辺フレーム部３ａの両端付近においては上板部３３が設けられておらず、基幹部３０も側壁部３１のみであるため、平面部５８が形成されている。その平面部５８に、右辺フレーム部２ｂの端面２３を当接させてネジ孔３７を介してネジ２２を右辺フレーム部２ｂのタッピングホール２１に螺合することで右辺フレーム部２ｂと上辺フレーム部３ａとを連結することができる。
【００５３】
このとき、図９−１に示すように、上辺フレーム部３ａの上板部３３や基幹部３０を右辺フレーム部２ｂの支持部１３や基幹部１２にぴったりと密着させて隙間が無い状態とし、上辺フレーム部３ａの基幹部３０内や右辺フレーム部２ｂの基幹部１２内への雨水の浸入による腐食を防止している。
【００５４】
また、右辺フレーム部２ｂと上辺フレーム部３ａの連結時に、図６に示すように、右辺フレーム部２ｂの上面５９と上辺フレーム部３ａの上面５６とがほぼ同じ高さとなることが望ましい。ほぼ同じ高さにして段差をなるべくなくすことで、風雨時に右辺フレーム部２ｂの上面５９及び上辺フレーム部３ａの上面５６に雨水が吹き寄せられても溜まりにくくなるため、上辺フレーム部３ａと右辺フレーム部２ｂとの間から上辺フレーム部３ａの基幹部３０内や右辺フレーム部２ｂの基幹部１２内へ雨水が浸入するのを防止することができるとともに、意匠性の高い見た目の綺麗な設置構造１とすることができる。
【００５５】
尚、左辺フレーム部２ａについても右辺フレーム部２ｂの場合とほぼ同様にして上辺フレーム部３ａと連結することが可能である。
【００５６】
また、図７に示すように、下辺フレーム部３ｂについても両端付近においては上板部４９が設けられておらず、基幹部４５も側壁部４６のみであるため、平面部６０が形成されている。その平面部６０に、左辺フレーム部２ａの端面２３を当接させてネジ孔４７を介してネジ２２により左辺フレーム部２ｂのタッピングホール２１に螺合することで左辺フレーム部２ａと下辺フレーム部３ｂとを連結することができる。
【００５７】
このとき、図９−２に示すように、下辺フレーム部３ｂの上板部４９や基幹部４５を左辺フレーム部２ａの支持部１３や基幹部１２にぴったりと密着させて隙間が無い状態とし、下辺フレーム部３ｂの基幹部４５内や左辺フレーム部２ａの基幹部１２内への雨水の侵入による腐食を防止している。
【００５８】
また、左辺フレーム部２ａと下辺フレーム部３ｂの連結時に、図７に示すように、左辺フレーム部２ａの上面５９と下辺フレーム部３ｂの上面５３とがほぼ同じ高さとなることが望ましい。ほぼ同じ高さにして段差をなるべくなくすことで、風雨時に左辺フレーム部２ａの上面５９と下辺フレーム部３ｂの上面５３に雨水が吹き寄せられても溜まりにくくなるため、下辺フレーム部３ｂと左辺フレーム部２ａとの間から下辺フレーム部３ｂの基幹部４５内や左辺フレーム部２ａの基幹部１２内へ雨水が浸入するのを防止することができるとともに、意匠性の高い見た目の綺麗な設置構造１とすることができる。
【００５９】
尚、右辺フレーム部２ｂについても左辺フレーム部２ａの場合とほぼ同様にして下辺フレーム部３ｂと連結することができる。
【００６０】
上記のように、ＰＶモジュール５の四辺の縁部１１に縦フレーム部２及び横フレーム部３をシリコン等の接着剤で固定するとともに、縦フレーム部２と横フレーム部３をネジ２２により連結することで、図１及び図２に示すＰＶモジュール体５Ａを形成することができる。
【００６１】
図８に示す４は、ＰＶモジュール５を支える架台である。架台４は、土台部６１とフレーム支持部６２からなり、全体の形状が正面視略王字状で厚さの薄い鋼板またはアルミニウム合金で形成されている。そして、土台部６１は細長い略長方形状の底板部６３からなり、その底板部６３（土台部６１）上の幅方向Ｃの両端よりやや内寄りの位置において、断面略縦長長方形状の仕切り部６４が底板部６３（架台４）の全長に亘って垂直に設けられている。
【００６２】
この仕切り部６４とフレーム支持部６２の下端部との間には排水部６５が形成され、流れ込んできた雨水を本発明に係る設置構造１の外に排出する役割を果たす。
【００６３】
また、底板部６３（土台部６１）と仕切り部６４とによって形成される隅部の排水部６５側には、フレーム支持部６２側の斜め上方が欠けている断面略Ｃ字状のタッピングホール６６が架台４の全長に亘って設けられている。これにより、二つの架台４，４を一直線状に並べてそれぞれのタッピングホール６６に円柱状の細長いピン（図示せず）を差し込むことで、架台４を連続的に接ぐことができ、長さの長い架台４が必要な場合にも対応することができる。
【００６４】
また、底板部６３の幅方向Ｃの両端には、架台４を屋根１００の屋根下地１０１上に固定するためのネジ孔６８が仕切り部６４に沿って複数箇所に設けられている。
【００６５】
尚、図８等に示す架台４の底板部６３の裏面６９は平面であるが、底板部６３の長さ方向Ｆに連続する波状の凹凸を裏面６９全体に施してもよい。裏面６９を波状とすることで、毛細管現象によって底板部６３の裏面６９と屋根下地１０１との間に雨水が浸入するのを防止することができるとともに、底板部６３の裏面６９と屋根下地１０１との接触面積が小さくなり滑り摩擦も小さくなるため、屋根下地１０１上への架台４の設置労力を軽減することもできる。
【００６６】
フレーム支持部６２は、起立部７０とフランジ部７１からなり、そのフランジ部７１は上方フランジ部７１ａと下方フランジ部７１ｂの二つの部材からなる。そして、底板部６３上において幅方向Ｃの中央に起立部７０が垂直に設けられ、その上端部には上方フフランジ部７１ａが、下端部付近には下方フランジ部７１ｂがそれぞれ底板部６３と平行に設けられている。そのため、架台４の全長に亘って断面略コの字状のレール部７２が起立部７０の左右に形成されている。尚、図８では起立部７０は下端部付近以外において内部に空洞ができるように２枚の薄板で形成されているが、１枚の厚板で形成されていてもよい。
【００６７】
また、上方フランジ部７１ａ及び下方フランジ部７１ｂは、起立部７０から左右に均等な幅で突出するように設けられている。そして、左右の両下方フランジ部７１ｂの上面７８の端部には、上方へ突出する係止片７４が架台４の全長に亘って設けられている。
【００６８】
上記のような構成とすることで、架台４に形成されている左右のレール部７２に、縦フレーム部２を支持させてＰＶモジュール体５Ａを設置することが可能となる。具体的には、図９−１及び図９−２に示すように、ＰＶモジュール体５Ａの左辺フレーム部２ａ及び右辺フレーム部２ｂの切欠き部１５，１５を架台４の上方フランジ部７１ａ，７１ａに嵌合させながら基幹部１２，１２をレール部７２，７２に挿入することで、ＰＶモジュール体５Ａを架台４のレール部７２に支持させるとともに、レール部７２の所望の位置までスライドさせて設置することができる。
【００６９】
また、上記のように、ＰＶモジュール体５Ａの左辺フレーム部２ａ及び右辺フレーム部２ｂをレール部７２に支持させることで、上方フランジ部７１ａ及び下方フランジ部７１ｂによりＰＶモジュール体５Ａの上下方向への移動が抑制されるため、ＰＶモジュール体５Ａが強風により吹きあがるのを防止することができる。
【００７０】
また、架台４にＰＶモジュール体５Ａを設置する際に、ＰＶモジュール体５Ａが屋根１００上で桁行方向Ｄへずれようとする場合であっても、左辺フレーム部２ａ及び右辺フレーム部２ｂの係止片１８が下方フランジ部７１ｂの係止片７４に衝突するため、架台４からＰＶモジュール体５Ａが脱落するのを防止することができ、作業者が安全に設置作業を行うことが可能となる。
【００７１】
そして、縦フレーム部２の天井部１４に切欠き部１５が設けられているため、ＰＶモジュール体５Ａの縦フレーム部２（左辺フレーム部２ａ及び右辺フレーム２ｂ）を架台４のレール部７２に挿入したときに、縦フレーム部２の天井部１４と架台４の上方フランジ部７１ａとの間に隙間が形成され、ＰＶモジュール体５Ａをスライドさせる際の摩擦の軽減につながり、ＰＶモジュール５の設置作業の労力が軽減されるとともに作業者の屋根１００上での作業時間を短縮できるため、作業者の安全性を確保することができる。
【００７２】
上記のように摩擦を軽減するため、縦フレーム部２の基幹部１２の高さｈは、架台４の上方フランジ部７１ａと下方フランジ部７１ｂとの間の距離Ｈよりも約１ｍｍ〜５ｍｍ程度低い方が望ましい。また、縦フレーム部２の切欠き部１５の横幅ｗは、上方フランジ部７１ａの幅Ｗよりも約１ｍｍ〜５ｍｍ程度広い方が望ましい。
【００７３】
架台４の起立部７０の表面７５には、架台４の全長に亘って断面略半円形状の小さな突起部７６が間隔を開けて二本設けられている。起立部７０の表面７５は、架台４のレール部７２にＰＶモジュール体５Ａの縦フレーム部２を挿入したときに、縦フレーム部２の側壁部１９ｂの表面２４と対峙する面であるため、起立部７０の表面７５と縦フレーム部２の側壁部１９ｂの表面２４との接触面積を小さくするために突起部７６が設けられている。
【００７４】
このように接触面積を小さくすることで、ＰＶモジュール体５Ａの縦フレーム部２をレール部７２に挿入してスライドさせる際の架台４の起立部７０の表面７５と縦フレーム部２の側壁部１９ｂの表面２４との摩擦が軽減でき、ＰＶモジュール５の設置作業の労力が軽減されるとともに作業者の屋根上での作業時間を短縮できるため、作業者の安全性を確保することが出来る。
【００７５】
尚、図８等では突起部７６は二本設けられているが、一本でも三本以上であってもよい。また、突起部７６の位置については、架台４のレール部７２にＰＶモジュール体５Ａの縦フレーム部２を挿入したときに、縦フレーム部２に設けられた突起部２５の位置と重なる位置に設けないように注意を要する。
【００７６】
また、架台４の上方フランジ部７１ａの角部や縦フレーム部２の角部を曲面にすることによっても、上記スライド作業の際の摩擦の軽減につながり、設置作業の労力をより軽減することができる。
【００７７】
架台４の下方フランジ部７１ｂの上面７８の高さは、底板部６３の上面７９よりも５ｍｍ以上高いことが望ましい。上記の高さとすることで、架台４のレール部７２にＰＶモジュール体５Ａを設置したあとであっても底板部６３の上面７９付近や屋根下地１０１付近の通気性を確保できるため、屋根下地１０１の野地板１０３の腐食の原因となる湿気や、ＰＶモジュール５の発電効率を低下させる熱気が滞留するのを防止することができる。
【００７８】
また、図９−１及び図９−２に示すように、架台４のレール部７２にＰＶモジュール体５Ａの縦フレーム部２を挿入したときに、上辺フレーム部３ａの底板部４４及び下辺フレーム部３ｂの底板部５１が架台４の仕切り部６４に接触しないように、仕切り部６４の高さは少なくとも下方フランジ部７１ｂの係止片７４の高さよりも低くしなければならない。
【００７９】
尚、架台４の長さは数メートルあり、どこで切断しても同じ断面となるように形成されているため、現場で必要な長さに切断して使用することが可能である。
【００８０】
上記のような構成とすることで、架台４のレール部７２にＰＶモジュール体５Ａの縦フレーム部２を挿入したときに形成される縦フレーム部２の天井部１４と架台４の上方フランジ部７１ａとの間の隙間に雨水が吹き込んだ場合であっても、その雨水は架台４のレール部７２と縦フレーム部２の基幹部１２との隙間を通って下方フランジ部７１ｂの上面７８から土台部６１の排水部６５へと流れ落ちて架台４の下端部から外へ排出されるか、架台４のレール部７２と縦フレーム部２の基幹部１２との隙間をそのまま通って架台４の下端部から外に排出される。
【００８１】
また、縦フレーム部２の天井部１４と架台４の上方フランジ部７１ａとの間に形成される隙間からの雨水の浸入をなるべく阻止するため、縦フレーム部２の上部支持部１３ａの上面５９の高さと架台４の上方フランジ部７１ａの上面７７の高さをなるべく等しくすることが望ましい。
【００８２】
次に、本発明に係る設置構造１の屋根下地１０１上への設置手順について説明する。屋根１００には、一面に張られた野地板１０３の上にルーフィング等の防水シートが敷設された屋根下地１０１が形成されており、その上に架台４を設置する。このとき、架台４を軒棟方向Ｅに設置するとともに、軒先部１０６付近から棟部１１０付近にかけて設置し、底板部６３のネジ孔６８を介してネジ８０等で屋根下地１０１上に固定する。
【００８３】
そして、上記と同様にして屋根下地１０１上に架台４を等間隔かつ平行に複数本設置する。このときの架台４と架台４の距離は、横フレーム部３の長さよりもやや長めとし、屋根１００の桁行方向Ｄの幅一杯に設置する。
【００８４】
また、架台４にＰＶモジュール体５Ａを設置したときに、横フレーム部３が下方にたわむのを防止するとともにＰＶモジュール体５Ａを固定するための補助桟木１０４を、架台４と架台４の間において架台４と平行に設置するとともに軒先部１０６付近から棟部１１０付近にかけて設置し、釘１０５等により屋根下地１０１上に固定しておく。
【００８５】
そして、ＰＶモジュール５を用意し、その四辺に縦フレーム部２及び横フレーム部３を固定する。具体的には、上記のようにまず縦フレーム部２である左辺フレーム部２ａ及び右辺フレーム部２ｂの支持溝２９、並びに横フレーム部３である上辺フレーム部３ａの支持溝３４及び下辺フレーム部３ｂの支持溝５０にシリコン等の接着剤を流し込む。
【００８６】
そして、ＰＶモジュール５の短辺の縁部１１ａを左辺フレーム部２ａ及び右辺フレーム部２ｂの支持溝２９にそれぞれ挿入するとともに、長辺の縁部１１ｂを上辺フレーム部３ａの支持溝３４及び下辺フレーム部３ｂの支持溝５０にそれぞれ挿入することでＰＶモジュール５に固定する。そして、上記のようにネジ２２により縦フレーム部２と横フレーム部３とを連結することで、図１及び図２に示すＰＶモジュール体５Ａを形成する。
【００８７】
次に、屋根下地１０１上に設置された架台４に形成されたレール部７２の上端部８１において、図９−１及び図９−２に示すように、第一段目（最も軒先部１０６側）に設置するＰＶモジュール体５Ａの左辺フレーム部２ａ及び右辺フレーム部２ｂの切欠き部１５，１５を、隣り合う二つの架台４，４の上方フランジ部７１ａ，７１ａにそれぞれ嵌合させつつ、レール部７２，７２に左辺フレーム部２ａの基幹部１２と右辺フレーム部２ｂの基幹部１２を挿入することで、ＰＶモジュール体５Ａを架台４のレール部７２に支持させるとともに、軒先部１０６に向かってＰＶモジュール体５Ａをスライドさせ、レール部７２の下端部８２まで移動させる。
【００８８】
その後、図１１に示すように、レール部７２の下端部８２であって下方フランジ部７１ａの上面７８に設けられた係止ネジ８３に、ＰＶモジュール体５Ａの下辺フレーム部３ｂの側壁部４６を係止させるとともに、図１０に示すように、上辺フレーム部３ａの縁部４２のネジ孔４３を介して補助桟木１０４にＰＶモジュール体５Ａをネジ８４等で固定し設置する。
【００８９】
そして、上記のＰＶモジュール体５Ａを形成する作業及び架台４にＰＶモジュール体５Ａを設置する作業を繰り返し行い、隣り合う二つの架台４，４の間の全てにおいてＰＶモジュール体５Ａを設置することで第一段目のＰＶモジュール体５Ａの設置が完了するとともに、屋根１００の桁行方向ＤにＰＶモジュール５を連続して面一に設置することができる。
【００９０】
次に、第二段目のＰＶモジュール体５Ａを設置する。この場合も上記の第一段目の場合と同様に、ＰＶモジュール５の四辺に縦フレーム部２及び横フレーム部３を固定したＰＶモジュール体５Ａを形成し、その左辺フレーム部２ａの基幹部１２と右辺フレーム部２ｂの基幹部１２を、隣り合う二つの架台４，４のレール部７２，７２の上端部８１，８１から挿入し、レール部７２の下端部８２に向かってＰＶモジュール体５Ａをスライドさせて移動させる。
【００９１】
そして、第二段目のＰＶモジュール体５Ａを第一段目のＰＶモジュール体５Ａの直上まで移動させ、図１０に示すように、第一段目のＰＶモジュール体５Ａの上辺フレーム部３ａのリブ３５を第二段目のＰＶモジュール体５Ａの下辺フレーム部３ｂの挟持部３８の挿入溝５２に挿入して嵌合させるとともに、下辺フレーム部３ｂの上方挟持部３８ａ及び下方挟持部３８ｂの先端面５５，５５を上辺フレーム３ａの側壁部３１に当接させて、第一段目及び第二段目のＰＶモジュール体５Ａを連結する。
【００９２】
その後、第二段目のＰＶモジュール体５Ａの上辺フレーム部３ａの縁部４２のネジ孔４３を介して、補助桟木１０４にＰＶモジュール体５Ａをネジ８４等で固定し設置する。そして、上記のＰＶモジュール体５Ａを形成する作業及び架台４にＰＶモジュール体５Ａを設置する作業を繰り返し行い、隣り合う二つの架台４，４の間の全てにおいてＰＶモジュール体５Ａを設置することで、第二段目のＰＶモジュール体５Ａの設置が完了するとともに、屋根１００の桁行方向ＤにＰＶモジュール５を連続して面一に設置することができる。
【００９３】
また、第三段目以降のＰＶモジュール体５Ａを設置する場合も、上記の第二段目の場合と同様にＰＶモジュール体５Ａを形成する作業及び架台４にＰＶモジュール体５Ａを設置する作業を繰り返し行うことで、屋根１００の軒棟方向ＥにもＰＶモジュール５を連続して面一に設置することができ、意匠性の高い見た目の綺麗な設置構造１とすることができる。
【００９４】
そして、全てのＰＶモジュール体５Ａを設置してＰＶモジュール５の裏面側１０で端子ケーブルを接続した後、ＰＶモジュール体５Ａと屋根下地１０１との間に生じる隙間８６に雨水や埃等が侵入しないように、ＰＶモジュール体５Ａが設置されている架台４の周囲を屋根材等により覆う。
【００９５】
具体的には、屋根１００の軒先部１０６においては図１１に示すように、第一段目に設置されたＰＶモジュール体５Ａの下辺フレーム部３ｂの挿入溝５２に屋根材１０８の端部を挿入しつつシリコン等の接着剤８８で固定するとともに、屋根材１０８を折り曲げながら延設し外壁１０９まで覆う。こうすることで、軒先部１０６からの雨水や埃等の浸入を防止することができる。
【００９６】
また、屋根１００の棟部１１０においては図１２に示すように、喚起棟１１１から延びる屋根材１１２を延設し、最上段に設置されたＰＶモジュール体５Ａの上辺フレーム部３ａの上面５６が隠れるように覆う。こうすることで、棟部１１０からの雨水や埃等の浸入を防止することができる。
【００９７】
更に、屋根１００の両端の袖部においては、ケラバ包みを形成する屋根材を延設し、袖部の一番近くに設置された架台４の袖部側のレール部７２や排水部６５等が隠れるように覆うとともに、上記のように軒先部１０６及び棟部１１０に設けられた屋根材１０８，１１２の両端を覆って雨仕舞いを施すことにより、本発明に係る設置構造１が完成する（図示せず）。
【００９８】
尚、上記屋根材１０８，１１２等の材質は、耐久性が高く加工しやすいガルバリウム鋼板が望ましい。また、耐久性を高めるために屋根材の表面にフッ素樹脂を塗布するとなお望ましいが、これらに限定されるものではない。また、架台４の周囲を覆うのは必ずしも屋根材である必要は無く、屋根材とは別の金属製の薄板を使用してもよい。
【００９９】
上記の設置構造１によれば、設置構造１の内部への雨水や埃等の浸入を防止できるとともに、仮に雨水が内部に侵入した場合であっても設置構造１の外部に排水することができる。
【０１００】
具体的に説明すると、上辺フレーム３ａのリブ３５と下辺フレーム３ｂの挟持部３８に形成された挿入溝５２との隙間から雨水が侵入した場合は、その雨水は下方挟持部３８ｂの先端面５５を伝って雨樋部３９が形成する集水部４１に流れ落ちる（図１０参照）。そして、雨水は雨樋部３９の両端から架台４の土台部６１の排水部６５へと流れ落ち（図９−１参照）、その後、排水部６５の下端部から屋根下地１０１の防水シート１０２上に流れ落ち、最後は軒先部１０６から地面へと流れ落ちる（図１１参照）。
【０１０１】
また、架台４の上方フランジ部７１ａと縦フレーム部２の天井部１４との間に形成される隙間に雨水が吹き込んだ場合は、その雨水は架台４のレール部７２と縦フレーム部２の基幹部１２との隙間を通って下方フランジ部７１ｂの上面７８から土台部６１の排水部６５へと流れ落ちて排水部６５の下端部から架台４の外に排出されるか、架台４のレール部７２と縦フレーム部２の基幹部１２との隙間をそのまま通ってレール部７２の下端部８２から架台４の外に排出される（図９−１及び図９−２参照）。そして、雨水は屋根下地１０１の防水シート１０２上に流れ落ち、最後は軒先部１０６から地面へと流れ落ちる（図１１参照）。
【０１０２】
また、本発明に係る設置構造１は上記のように防水性を有するため、屋根材としての役割も果たす。そのため、本発明に係る設置構造１は屋根材を必要とせず、屋根１００にＰＶモジュール５を設置する際のコストの削減を図ることができる。
【０１０３】
また、上記のように、本発明に係る設置構造１の屋根下地１０１上への設置作業が非常に容易であるため、作業者のＰＶモジュール５の設置作業の労力が軽減されるとともに、作業者の屋根１００上での作業時間を短縮できるため作業者の安全性が確保できる。
【０１０４】
尚、本発明に係る設置構造１は、屋根１００の勾配角度に関わらず屋根下地１０１上にＰＶモジュール５を設置することができる。そのため、屋根１００の角度が地面に対し水平であっても垂直であっても、屋根下地１０１上にＰＶモジュール５を設置することができる。
【符号の説明】
【０１０５】
１    設置構造              ６０    平面部
２    縦フレーム部          ６１    土台部
３    横フレーム部          ６２    フレーム支持部
４    架台                  ６３    底板部
５    ＰＶモジュール        ６４    仕切り部
５Ａ  ＰＶモジュール体      ６５    排水部
９    表面側                ６６    タッピングホール
１０  裏面側                ６８    ネジ孔
１２  基幹部                ７０    起立部
１３  支持部                ７１    フランジ部
１４  天井部                ７２    レール部
１５  切欠き部              ７４    係止片
１８  係止片                ７６    突起部
１９  側壁部                ８０    ネジ
２１  タッピングホール      ８１    上端部
２２  ネジ                  ８２    下端部
２５  突起部                ８３    係止ネジ
２９  支持溝                ８４    ネジ
３０  基幹部                ８６    隙間
３１  側壁部                １００  屋根
３２  天井部                １０１  屋根下地
３３  上板部                １０２  防水シート
３４  支持溝                １０３  野地板
３５  リブ                  １０４  補助桟木
３７  ネジ孔                １０５  ネジ
３８  挟持部                １０６  軒先部
３９  雨樋部                １０８  屋根材
４１  集水部                １０９  外壁
４２  縁部                  １１０  棟部
４３  ネジ孔                １１１  喚起棟
４４  底板部                １１２  屋根材
４５  基幹部                Ｗ，ｗ  幅
４６  側壁部                Ｈ，ｈ  高さ
４７  ネジ孔                Ａ      断面
４８  天井部                Ｂ      幅方向
４９  上板部                Ｃ      幅方向
５０  支持溝                Ｄ      桁行方向
５１  底板部                Ｅ      軒棟方向
５２  挿入溝                Ｆ      長さ方向
５４  雪止め部
５８  平面部